(57)【要約】【課題】紙状の不揮発性表示装置を用いた電子ペーパーによって所望の情報を記録・表示させるための電子ペーパー記録装置において、表示面に対し直接的に為された手書きデータを通常の紙を使用する場合と同じように書き込んで表示保持させる。【解決手段】不揮発性表示装置１７の表示画面を有する電子ペーパー１１Ａを、バッテリー電源を有する電子下敷１２Ａのタブレット１４上に装着し、バインダー部１３によって綴じると、その綴じ込み構造に対応して設けられた電磁誘導部を介して電子下敷１２Ａから電子ペーパー１１Ａへの電源供給ならびに相互の通信接続がなされる。電子ペーパー１１Ａの表示画面１７上で電子ペン１５により手書き入力操作を行うと、当該ペン入力位置が前記タブレット１４にて座標検出され、その座標軌跡に応じたベクトルデータが表示データとして電子ペーパー１１Ａへ通信転送され不揮発性表示装置１７に表示される。【選択図】      図１
2007323365.tif 000002
【特許請求の範囲】
【請求項１】
電子ペーパーと、この電子ペーパーが着脱自在に装着されるペーパー装着部とを有する電子ペーパー記録装置であって、
前記電子ペーパーは、
当該ペーパー面を不揮発性の表示画面とする不揮発性表示手段と、
前記ペーパー装着部との間で信号を送受信する通信手段とを備え、
前記ペーパー装着部は、
前記電子ペーパーとの間で信号を送受信する通信手段と、
前記電子ペーパーの表示画面に対するユーザ操作位置を検出する操作位置検出手段と、
この操作位置検出手段により検出された前記電子ペーパーの表示画面に対するユーザ操作位置に応じたデータを前記通信手段を介して前記電子ペーパーへ送信し、当該電子ペーパーの不揮発性表示手段により表示させる表示制御手段とを備えた、
ことを特徴とする電子ペーパー記録装置。
【請求項２】
前記ペーパー装着部は、前記電子ペーパーを装着した際にその下敷きとなる下敷き構造を有することを特徴とする請求項１に記載の電子ペーパー記録装置。
【請求項３】
さらに、
電子ペンを備え、
前記ペーパー装着部の操作位置検出手段は、前記電子ペーパーの表示画面に対する前記電子ペンによるユーザ操作位置を検出する、
ことを特徴とする請求項１または請求項２に記載の電子ペーパー記録装置。
【請求項４】
前記電子ペーパーは、さらに、当該電子ペーパーの表面上に他の電子ペーパーが重ねられているか否かを検出する重なり検出手段を備え、
前記ペーパー装着部は、さらに、前記電子ペーパーの重なり検出手段から通信手段を介して受信される重なり検出信号に基づき重なり無しの電子ペーパーを有効な電子ペーパーとして判別する有効ペーパー判別手段を備え、
前記表示制御手段は、前記操作位置検出手段により検出された前記電子ペーパーの表示画面に対するユーザ操作位置に応じたデータを前記有効ペーパー判別手段により有効判別された電子ペーパーへ前記通信手段を介して送信し、当該電子ペーパーの不揮発性表示手段により表示させる、
ことを特徴とする請求項１ないし請求項３の何れか１項に記載の電子ペーパー記録装置。
【請求項５】
前記電子ペーパーは、さらに、前記ペーパー装着部における下敷き構造部の下敷き面に対応して装着された状態であることを当該ペーパー装着部へ通知する装着状態通知手段を備え、
前記ペーパー装着部の有効ペーパー判別手段は、前記電子ペーパーの重なり検出手段から通信手段を介して受信される重なり検出信号および前記装着状態通知手段により通知される下敷き構造部での装着状態に基づき重なり無しで下敷き面に対応して装着された電子ペーパーを有効な電子ペーパーとして判別する、
ことを特徴とする請求項４に記載の電子ペーパー記録装置。
【請求項６】
前記電子ペーパーは、さらに、当該電子ペーパーのサイズ情報を記憶するペーパーサイズ記憶手段を備え、
前記ペーパー装着部の有効ペーパー判別手段は、前記電子ペーパーの重なり検出手段から通信手段を介して受信される重なり検出信号および前記装着状態通知手段により通知される下敷き構造部での装着状態および前記ペーパーサイズ記憶手段から通信手段を介して読み出されるペーパーサイズ情報に基づき重なり無しで下敷き面に対応して装着された最小サイズの電子ペーパーを有効な電子ペーパーとして判別する、
ことを特徴とする請求項５に記載の電子ペーパー記録装置。
【請求項７】
前記ペーパー装着部は、さらに、電源手段と、この電源手段により出力される電力を無線により前記電子ペーパーへ供給する電源供給手段とを備え、
前記電子ペーパーは、さらに、前記ペーパー装着部の電源供給手段により無線により供給される電力を無線により受給する電源受給手段を備えた、
ことを特徴とする請求項１ないし請求項６の何れか１項に記載の電子ペーパー記録装置。
【請求項８】
前記電子ペーパーは、さらに、当該電子ペーパーの識別子を記憶するペーパー識別子記憶手段を備え、
前記ペーパー装着部は、さらに、前記電子ペーパーのペーパー識別子記憶手段から通信手段を介して読み出される電子ペーパーの識別子に応じて当該ペーパー装着部に装着された複数の電子ペーパーそれぞれを識別する電子ペーパー識別手段を備えた、
ことを特徴とする請求項１ないし請求項７の何れか１項に記載の電子ペーパー記録装置。
【請求項９】
前記ペーパー装着部の通信手段は、前記電子ペーパーの綴じ込み部に対応して設けられ電磁誘導により信号を送受信するための磁気コアを有し、
前記電子ペーパーの通信手段は、前記ペーパー装着部の通信手段が有する磁気コアの位置に対応して設けられた磁気コアと、この磁気コアを囲んで設けられ電磁誘導により信号を送受信するための平面環状コイルとを有する、
ことを特徴とする請求項１ないし請求項８の何れか１項に記載の電子ペーパー記録装置。
【請求項１０】
前記ペーパー装着部の電源供給手段は、前記電子ペーパーの綴じ込み部に対応して設けられ、前記電源手段により出力される電源電圧信号を電磁誘導により前記電子ペーパーへ供給するための磁気コアを有し、
前記電子ペーパーの電源受給手段は、前記ペーパー装着部の電源供給手段が有する磁気コアの位置に対応して設けられた磁気コアと、この磁気コアを囲んで設けられ電磁誘導により供給される電源電圧信号を受給するための平面環状コイルとを有する、
ことを特徴とする請求項７に記載の電子ペーパー記録装置。
【請求項１１】
前記ペーパー装着部の通信手段は、前記電子ペーパーの綴じ込み用の孔に対応して設けられ電磁誘導により信号を送受信するための凸型磁気コアを有し、
前記電子ペーパーの通信手段は、前記ペーパー装着部の通信手段が有する凸型磁気コアの凸状部が挿通される綴じ込み用の孔を囲んで設けられ電磁誘導により信号を送受信するための平面環状コイルを有する、
ことを特徴とする請求項１ないし請求項８の何れか１項に記載の電子ペーパー記録装置。
【請求項１２】
前記ペーパー装着部の電源供給手段は、前記電子ペーパーの綴じ込み用の孔に対応して設けられ、前記電源手段により出力される電源電圧信号を電磁誘導により前記電子ペーパーへ供給するための凸型磁気コアを有し、
前記電子ペーパーの電源受給手段は、前記ペーパー装着部の電源供給手段が有する凸型磁気コアの凸状部が挿通される綴じ込み用の孔を囲んで設けられ電磁誘導により供給される電源電圧信号を受給するための平面環状コイルを有する、
ことを特徴とする請求項７に記載の電子ペーパー記録装置。
【請求項１３】
前記電子ペーパーは、さらに、前記ペーパー装着部に対する装着位置を当該ペーパー装着部へ通知する装着位置通知手段を備え、
前記ペーパー装着部は、さらに、前記操作位置検出手段により検出された前記電子ペーパーの表示画面に対するユーザ操作位置を前記電子ペーパーの前記装着位置通知手段により通知される装着位置に応じて補正する位置補正手段を備え、
前記表示制御手段は、前記位置補正手段により補正された後の前記電子ペーパーの表示画面に対するユーザ操作位置に応じたデータを前記通信手段を介して前記電子ペーパーへ送信し、当該電子ペーパーの不揮発性表示手段により表示させる、
ことを特徴とする請求項１ないし請求項１２の何れか１項に記載の電子ペーパー記録装置。
【請求項１４】
前記ペーパー装着部の操作位置検出手段は、電磁誘導信号の発生位置を検出するタブレットからなり、
前記電子ペーパーの装着状態通知手段は、当該電子ペーパーに設けられて電磁誘導信号を発生し前記ペーパー装着部の前記タブレットに検出させるための電磁誘導コイルである、
ことを特徴とする請求項５に記載の電子ペーパー記録装置。
【請求項１５】
前記ペーパー装着部の操作位置検出手段は、電磁誘導信号の発生位置を検出するタブレットからなり、
前記電子ペーパーの装着位置通知手段は、当該電子ペーパーの複数箇所に設けられて電磁誘導信号を発生し前記ペーパー装着部の前記タブレットに位置検出させるための電磁誘導コイルである、
ことを特徴とする請求項１３に記載の電子ペーパー記録装置。
【請求項１６】
前記ペーパー装着部は、さらに、前記電子ペーパーをソフトキーボードとして機能させるソフトキー制御手段を備えたことを特徴とする請求項１ないし請求項１５の何れか１項に記載の電子ペーパー記録装置。
【請求項１７】
電子ペーパーと、この電子ペーパーが着脱自在に装着されるペーパー装着部とを有する電子ペーパー記録装置であって、
前記電子ペーパーは、
当該ペーパー面を不揮発性の表示画面とする不揮発性表示手段と、
当該電子ペーパーの識別子を記憶するペーパー識別子記憶手段と、
前記ペーパー装着部との間で信号を送受信する通信手段とを備え、
前記ペーパー装着部は、
前記電子ペーパーとの間で信号を送受信する通信手段と、
前記電子ペーパーの表示画面に対するユーザ操作位置を検出する操作位置検出手段と、
外部のネットワーク上にあるサーバ装置と接続する外部接続手段と、
前記電子ペーパーのペーパー識別子記憶手段から通信手段を介して読み出される電子ペーパーの識別子を前記外部接続手段により接続されたサーバ装置へ送信するペーパー識別子送信手段と、
前記操作位置検出手段により検出された前記電子ペーパーの表示画面に対するユーザ操作位置を前記外部接続手段により接続されたサーバ装置へ送信するユーザ操作位置送信手段と、
前記ペーパー識別子送信手段により前記電子ペーパーの識別子を前記サーバ装置へ送信し、前記ユーザ操作位置送信手段による前記電子ペーパーの表示画面に対するユーザ操作位置の前記サーバ装置への送信に応答して当該サーバ装置から受信されたデータを前記通信手段を介して前記電子ペーパーへ送信し、当該電子ペーパーの不揮発性表示手段により表示させる表示制御手段とを備えた、
ことを特徴とする電子ペーパー記録装置。
【請求項１８】
電子ペーパーと、この電子ペーパーが着脱自在に装着されるペーパー装着部とを有する電子ペーパー記録装置であって、
前記電子ペーパーは、
当該ペーパー面を不揮発性の表示画面とする不揮発性表示手段と、
この不揮発性表示手段の表示画面に対するユーザ操作位置を検出する操作位置検出手段と、
前記ペーパー装着部との間で信号を送受信する通信手段とを備え、
前記ペーパー装着部は、
前記電子ペーパーとの間で信号を送受信する通信手段と、
前記電子ペーパーの操作位置検出手段により検出された表示画面に対するユーザ操作位置を前記通信手段を介して受信し、このユーザ操作位置に応じたデータを前記通信手段を介して前記電子ペーパーへ送信し、当該電子ペーパーの不揮発性表示手段により表示させる表示制御手段とを備えた、
ことを特徴とする電子ペーパー記録装置。
【発明の詳細な説明】
【技術分野】
【０００１】
本発明は、紙状の不揮発性表示装置を用いた電子ペーパーによって所望の情報を記録・表示させるための電子ペーパー記録装置に関する。
【背景技術】
【０００２】
近年、電子ペーパーと称される紙状の不揮発性表示装置が開発されている。この電子ペーパーは、無電源状態で画像を表示保持する表示面を有し、紙には及ばずながらも薄く、柔軟性のあるもので、電源を供給することで画像の書き込み／消去が可能になり、テキストや画像など、様々なコンテンツを表示保持させることができる（例えば、特許文献１〜３参照）。
【特許文献１】特開２００６−０３９８３４号公報
【特許文献２】特開２００１−３１２２２７号公報
【特許文献３】特開２００３−０５８０８１号公報
【発明の開示】
【発明が解決しようとする課題】
【０００３】
従来、電子ペーパーに対して表示させるテキストや画像のデータは、パーソナルコンピュータなどの情報処理端末によって生成され、ペーパー端部に設けられた通信端子から電源と共に受信入力されて表示される。このため、電子ペーパーにおいて表示されるコンテンツは、予めキー入力されたテキストデータや予め描画生成された画像データに限られ、電子ペーパーに直接手書きするなどした文字や絵などの手書きデータを通常の紙を使用する場合と同じように書き込んで表示保持させることはできない。
【０００４】
本発明は、このような課題に鑑みなされたもので、表示面に対し直接的に為された手書きデータを通常の紙を使用する場合と同じように書き込んで表示保持させることが可能になる電子ペーパー記録装置を提供することを目的とする。
【課題を解決するための手段】
【０００５】
請求項１に記載の電子ペーパー記録装置は、電子ペーパーと、この電子ペーパーが着脱自在に装着されるペーパー装着部とを有する電子ペーパー記録装置であって、
前記電子ペーパーは、当該ペーパー面を不揮発性の表示画面とする不揮発性表示手段と、前記ペーパー装着部との間で信号を送受信する通信手段とを備え、
前記ペーパー装着部は、前記電子ペーパーとの間で信号を送受信する通信手段と、前記電子ペーパーの表示画面に対するユーザ操作位置を検出する操作位置検出手段と、この操作位置検出手段により検出された前記電子ペーパーの表示画面に対するユーザ操作位置に応じたデータを前記通信手段を介して前記電子ペーパーへ送信し、当該電子ペーパーの不揮発性表示手段により表示させる表示制御手段とを備えたことを特徴としている。
【０００６】
請求項２に記載の電子ペーパー記録装置は、前記請求項１に記載の電子ペーパー記録装置において、前記ペーパー装着部は、前記電子ペーパーを装着した際にその下敷きとなる下敷き構造を有することを特徴としている。
【０００７】
請求項３に記載の電子ペーパー記録装置は、前記請求項１または請求項２に記載の電子ペーパー記録装置において、さらに、電子ペンを備え、前記ペーパー装着部の操作位置検出手段は、前記電子ペーパーの表示画面に対する前記電子ペンによるユーザ操作位置を検出することを特徴としている。
【０００８】
請求項４に記載の電子ペーパー記録装置は、前記請求項１ないし請求項３の何れか１項に記載の電子ペーパー記録装置において、前記電子ペーパーは、さらに、当該電子ペーパーの表面上に他の電子ペーパーが重ねられているか否かを検出する重なり検出手段を備え、前記ペーパー装着部は、さらに、前記電子ペーパーの重なり検出手段から通信手段を介して受信される重なり検出信号に基づき重なり無しの電子ペーパーを有効な電子ペーパーとして判別する有効ペーパー判別手段を備え、前記表示制御手段は、前記操作位置検出手段により検出された前記電子ペーパーの表示画面に対するユーザ操作位置に応じたデータを前記有効ペーパー判別手段により有効判別された電子ペーパーへ前記通信手段を介して送信し、当該電子ペーパーの不揮発性表示手段により表示させることを特徴としている。
【０００９】
請求項５に記載の電子ペーパー記録装置は、前記請求項４に記載の電子ペーパー記録装置において、前記電子ペーパーは、さらに、前記ペーパー装着部における下敷き構造部の下敷き面に対応して装着された状態であることを当該ペーパー装着部へ通知する装着状態通知手段を備え、前記ペーパー装着部の有効ペーパー判別手段は、前記電子ペーパーの重なり検出手段から通信手段を介して受信される重なり検出信号および前記装着状態通知手段により通知される下敷き構造部での装着状態に基づき重なり無しで下敷き面に対応して装着された電子ペーパーを有効な電子ペーパーとして判別することを特徴としている。
【００１０】
請求項６に記載の電子ペーパー記録装置は、前記請求項５に記載の電子ペーパー記録装置において、前記電子ペーパーは、さらに、当該電子ペーパーのサイズ情報を記憶するペーパーサイズ記憶手段を備え、前記ペーパー装着部の有効ペーパー判別手段は、前記電子ペーパーの重なり検出手段から通信手段を介して受信される重なり検出信号および前記装着状態通知手段により通知される下敷き構造部での装着状態および前記ペーパーサイズ記憶手段から通信手段を介して読み出されるペーパーサイズ情報に基づき重なり無しで下敷き面に対応して装着された最小サイズの電子ペーパーを有効な電子ペーパーとして判別することを特徴としている。
【００１１】
請求項７に記載の電子ペーパー記録装置は、前記請求項１ないし請求項６の何れか１項に記載の電子ペーパー記録装置において、前記ペーパー装着部は、さらに、電源手段と、この電源手段により出力される電力を無線により前記電子ペーパーへ供給する電源供給手段とを備え、前記電子ペーパーは、さらに、前記ペーパー装着部の電源供給手段により無線により供給される電力を無線により受給する電源受給手段を備えたことを特徴としている。
【００１２】
請求項８に記載の電子ペーパー記録装置は、前記請求項１ないし請求項７の何れか１項に記載の電子ペーパー記録装置において、前記電子ペーパーは、さらに、当該電子ペーパーの識別子を記憶するペーパー識別子記憶手段を備え、前記ペーパー装着部は、さらに、前記電子ペーパーのペーパー識別子記憶手段から通信手段を介して読み出される電子ペーパーの識別子に応じて当該ペーパー装着部に装着された複数の電子ペーパーそれぞれを識別する電子ペーパー識別手段を備えたことを特徴としている。
【００１３】
請求項９に記載の電子ペーパー記録装置は、前記請求項１ないし請求項８の何れか１項に記載の電子ペーパー記録装置において、前記ペーパー装着部の通信手段は、前記電子ペーパーの綴じ込み部に対応して設けられ電磁誘導により信号を送受信するための磁気コアを有し、前記電子ペーパーの通信手段は、前記ペーパー装着部の通信手段が有する磁気コアの位置に対応して設けられた磁気コアと、この磁気コアを囲んで設けられ電磁誘導により信号を送受信するための平面環状コイルとを有することを特徴としている。
【００１４】
請求項１０に記載の電子ペーパー記録装置は、前記請求項７に記載の電子ペーパー記録装置において、前記ペーパー装着部の電源供給手段は、前記電子ペーパーの綴じ込み部に対応して設けられ、前記電源手段により出力される電源電圧信号を電磁誘導により前記電子ペーパーへ供給するための磁気コアを有し、前記電子ペーパーの電源受給手段は、前記ペーパー装着部の電源供給手段が有する磁気コアの位置に対応して設けられた磁気コアと、この磁気コアを囲んで設けられ電磁誘導により供給される電源電圧信号を受給するための平面環状コイルとを有することを特徴としている。
【００１５】
請求項１１に記載の電子ペーパー記録装置は、前記請求項１ないし請求項８の何れか１項に記載の電子ペーパー記録装置において、前記ペーパー装着部の通信手段は、前記電子ペーパーの綴じ込み用の孔に対応して設けられ電磁誘導により信号を送受信するための凸型磁気コアを有し、前記電子ペーパーの通信手段は、前記ペーパー装着部の通信手段が有する凸型磁気コアの凸状部が挿通される綴じ込み用の孔を囲んで設けられ電磁誘導により信号を送受信するための平面環状コイルを有することを特徴としている。
【００１６】
請求項１２に記載の電子ペーパー記録装置は、前記請求項７に記載の電子ペーパー記録装置において、前記ペーパー装着部の電源供給手段は、前記電子ペーパーの綴じ込み用の孔に対応して設けられ、前記電源手段により出力される電源電圧信号を電磁誘導により前記電子ペーパーへ供給するための凸型磁気コアを有し、
前記電子ペーパーの電源受給手段は、前記ペーパー装着部の電源供給手段が有する凸型磁気コアの凸状部が挿通される綴じ込み用の孔を囲んで設けられ電磁誘導により供給される電源電圧信号を受給するための平面環状コイルを有することを特徴としている。
【００１７】
請求項１３に記載の電子ペーパー記録装置は、前記請求項１ないし請求項１２の何れか１項に記載の電子ペーパー記録装置において、前記電子ペーパーは、さらに、前記ペーパー装着部に対する装着位置を当該ペーパー装着部へ通知する装着位置通知手段を備え、前記ペーパー装着部は、さらに、前記操作位置検出手段により検出された前記電子ペーパーの表示画面に対するユーザ操作位置を前記電子ペーパーの前記装着位置通知手段により通知される装着位置に応じて補正する位置補正手段を備え、前記表示制御手段は、前記位置補正手段により補正された後の前記電子ペーパーの表示画面に対するユーザ操作位置に応じたデータを前記通信手段を介して前記電子ペーパーへ送信し、当該電子ペーパーの不揮発性表示手段により表示させることを特徴としている。
【００１８】
請求項１４に記載の電子ペーパー記録装置は、前記請求項５に記載の電子ペーパー記録装置において、前記ペーパー装着部の操作位置検出手段は、電磁誘導信号の発生位置を検出するタブレットからなり、前記電子ペーパーの装着状態通知手段は、当該電子ペーパーに設けられて電磁誘導信号を発生し前記ペーパー装着部の前記タブレットに検出させるための電磁誘導コイルであることを特徴としている。
【００１９】
請求項１５に記載の電子ペーパー記録装置は、前記請求項１３に記載の電子ペーパー記録装置において、前記ペーパー装着部の操作位置検出手段は、電磁誘導信号の発生位置を検出するタブレットからなり、前記電子ペーパーの装着位置通知手段は、当該電子ペーパーの複数箇所に設けられて電磁誘導信号を発生し前記ペーパー装着部の前記タブレットに位置検出させるための電磁誘導コイルであることを特徴としている。
【００２０】
請求項１６に記載の電子ペーパー記録装置は、前記請求項１ないし請求項１５の何れか１項に記載の電子ペーパー記録装置において、前記ペーパー装着部は、さらに、前記電子ペーパーをソフトキーボードとして機能させるソフトキー制御手段を備えたことを特徴としている。
【００２１】
請求項１７に記載の電子ペーパー記録装置は、電子ペーパーと、この電子ペーパーが着脱自在に装着されるペーパー装着部とを有する電子ペーパー記録装置であって、
前記電子ペーパーは、当該ペーパー面を不揮発性の表示画面とする不揮発性表示手段と、当該電子ペーパーの識別子を記憶するペーパー識別子記憶手段と、前記ペーパー装着部との間で信号を送受信する通信手段とを備え、
前記ペーパー装着部は、前記電子ペーパーとの間で信号を送受信する通信手段と、前記電子ペーパーの表示画面に対するユーザ操作位置を検出する操作位置検出手段と、外部のネットワーク上にあるサーバ装置と接続する外部接続手段と、前記電子ペーパーのペーパー識別子記憶手段から通信手段を介して読み出される電子ペーパーの識別子を前記外部接続手段により接続されたサーバ装置へ送信するペーパー識別子送信手段と、前記操作位置検出手段により検出された前記電子ペーパーの表示画面に対するユーザ操作位置を前記外部接続手段により接続されたサーバ装置へ送信するユーザ操作位置送信手段と、前記ペーパー識別子送信手段により前記電子ペーパーの識別子を前記サーバ装置へ送信し、前記ユーザ操作位置送信手段による前記電子ペーパーの表示画面に対するユーザ操作位置の前記サーバ装置への送信に応答して当該サーバ装置から受信されたデータを前記通信手段を介して前記電子ペーパーへ送信し、当該電子ペーパーの不揮発性表示手段により表示させる表示制御手段とを備えたことを特徴としている。
【００２２】
請求項１８に記載の電子ペーパー記録装置は、電子ペーパーと、この電子ペーパーが着脱自在に装着されるペーパー装着部とを有する電子ペーパー記録装置であって、
前記電子ペーパーは、当該ペーパー面を不揮発性の表示画面とする不揮発性表示手段と、この不揮発性表示手段の表示画面に対するユーザ操作位置を検出する操作位置検出手段と、前記ペーパー装着部との間で信号を送受信する通信手段とを備え、
前記ペーパー装着部は、前記電子ペーパーとの間で信号を送受信する通信手段と、前記電子ペーパーの操作位置検出手段により検出された表示画面に対するユーザ操作位置を前記通信手段を介して受信し、このユーザ操作位置に応じたデータを前記通信手段を介して前記電子ペーパーへ送信し、当該電子ペーパーの不揮発性表示手段により表示させる表示制御手段とを備えたことを特徴としている。
【発明の効果】
【００２３】
本発明の請求項１に記載の電子ペーパー記録装置によれば、電子ペーパーが着脱自在に装着されるペーパー装着部に対して電子ペーパーを装着し、当該電子ペーパーの表示画面に対してユーザ操作を行うと、この電子ペーパーの表示画面に対するユーザ操作位置がペーパー装着部の操作位置検出手段により検出され、この検出された前記電子ペーパーの表示画面に対するユーザ操作位置に応じたデータが、相互の通信手段を介して前記電子ペーパーへ送信され、当該電子ペーパーの不揮発性表示手段により表示されるので、電子ペーパーに対するユーザ操作に応じたデータをその不揮発性表示手段に表示させ、紙のように書き込んで取り外し持ち歩いて扱うことができる。
【００２４】
本発明の請求項２に記載の電子ペーパー記録装置によれば、前記請求項１に記載の電子ペーパー記録装置において、ペーパー装着部を、電子ペーパーを装着した際にその下敷きとなる下敷き構造を有するものとしたので、このペーパー装着部を下敷きとして電子ペーパーへのユーザ書き込み操作を行うことで、その書き込み操作位置に対応したデータが電子ペーパー面に不揮発表示されるようになる。
【００２５】
本発明の請求項３に記載の電子ペーパー記録装置によれば、前記請求項１または請求項２に記載の電子ペーパー記録装置において、ペーパー装着部に装着された電子ペーパー上での電子ペンによる手書き操作に応じて、その手書き操作位置に対応したデータが電子ペーパー面に不揮発表示されるようになる。
【００２６】
本発明の請求項４に記載の電子ペーパー記録装置によれば、前記請求項１ないし請求項３の何れか１項に記載の電子ペーパー記録装置において、電子ペーパーの重なり検出手段から通信手段を介してペーパー装着部に受信される重なり検出信号に基づき重なり無しの電子ペーパーを有効な電子ペーパーとして判別し、表示制御手段は、操作位置検出手段により検出された電子ペーパーの表示画面に対するユーザ操作位置に応じたデータを前記有効判別された電子ペーパーへ送信しその不揮発性表示手段により表示させるので、複数枚重ねてペーパー装着部に装着された電子ペーパーの最上部に面した電子ペーパーを有効として、そこでのユーザ入力に応じたデータを確実にそのペーパー面に不揮発表示させることができる。
【００２７】
本発明の請求項５に記載の電子ペーパー記録装置によれば、前記請求項４に記載の電子ペーパー記録装置において、ペーパー装着部の有効ペーパー判別手段は、電子ペーパーの重なり検出手段から通信手段を介して受信される重なり検出信号および装着状態通知手段により通知される下敷き構造部での装着状態に基づき重なり無しで下敷き面に対応して装着された電子ペーパーを有効な電子ペーパーとして判別するので、複数枚重ねてペーパー装着部の下敷き上に正しく装着された電子ペーパーの最上部に面した電子ペーパーを有効として、そこでのユーザ入力に応じたデータを確実にそのペーパー面に不揮発表示させることができる。
【００２８】
本発明の請求項６に記載の電子ペーパー記録装置によれば、前記請求項５に記載の電子ペーパー記録装置において、ペーパー装着部の有効ペーパー判別手段は、電子ペーパーの重なり検出手段から通信手段を介して受信される重なり検出信号および装着状態通知手段により通知される下敷き構造部での装着状態およびペーパーサイズ記憶手段から通信手段を介して読み出されるペーパーサイズ情報に基づき重なり無しで下敷き面に対応して装着された最小サイズの電子ペーパーを有効な電子ペーパーとして判別するので、大小サイズの電子ペーパーを任意に複数枚重ねてペーパー装着部の下敷き上に正しく装着された電子ペーパーのうちの最上部に面した電子ペーパーを有効として、そこでのユーザ入力に応じたデータを確実にそのペーパー面に不揮発表示させることができる。
【００２９】
本発明の請求項７に記載の電子ペーパー記録装置によれば、前記請求項１ないし請求項６の何れか１項に記載の電子ペーパー記録装置において、電子ペーパーは、ペーパー装着部の電源手段により出力されて無線により供給される電力を受給して動作することができる。
【００３０】
本発明の請求項８に記載の電子ペーパー記録装置によれば、前記請求項１ないし請求項７の何れか１項に記載の電子ペーパー記録装置において、ペーパー装着部は、さらに、電子ペーパーのペーパー識別子記憶手段から通信手段を介して読み出される電子ペーパーの識別子に応じて当該ペーパー装着部に装着された複数の電子ペーパーそれぞれを識別することができる。
【００３１】
本発明の請求項９に記載の電子ペーパー記録装置によれば、前記請求項１ないし請求項８の何れか１項に記載の電子ペーパー記録装置において、ペーパー装着部の通信手段と電子ペーパーの通信手段とは、電子ペーパーの綴じ込み部に対応したペーパー装着部の側に設けられた磁気コアと、このペーパー装着部側の磁気コアの位置に対応して電子ペーパーに埋設された磁気コアと、この磁気コアを囲んで設けられた平面環状コイルとからなる電磁誘導構造を以て信号を送受信するので、電子ペーパーの綴じ込み構造を上手く利用した無線通信手段を構築できる。
【００３２】
本発明の請求項１０に記載の電子ペーパー記録装置によれば、前記請求項７に記載の電子ペーパー記録装置において、ペーパー装着部の電源供給手段と電子ペーパーの電源受給手段とは、電子ペーパーの綴じ込み部に対応したペーパー装着部の側に設けられた磁気コアと、このペーパー装着部側の磁気コアの位置に対応して電子ペーパーに埋設された磁気コアと、この磁気コアを囲んで設けられた平面環状コイルとからなる電磁誘導構造を以て電源電圧信号を供給／受給するので、電子ペーパーの綴じ込み構造を上手く利用した無線による電源供給手段を構築できる。
【００３３】
本発明の請求項１１に記載の電子ペーパー記録装置によれば、前記請求項１ないし請求項８の何れか１項に記載の電子ペーパー記録装置において、ペーパー装着部の通信手段と電子ペーパーの通信手段とは、電子ペーパーの綴じ込み用の孔に対応したペーパー装着部の側に設けられた凸型磁気コアと、この凸型磁気コアの凸状部が挿通される前記電子ペーパーの綴じ込み用の孔を囲んで設けられた平面環状コイルとからなる電磁誘導構造を以て信号を送受信するので、電子ペーパーの綴じ込み孔を上手く利用した無線通信手段を構築できる。
【００３４】
本発明の請求項１２に記載の電子ペーパー記録装置によれば、前記請求項７に記載の電子ペーパー記録装置において、ペーパー装着部の電源供給手段と電子ペーパーの電源受給手段とは、電子ペーパーの綴じ込み用の孔に対応したペーパー装着部の側に設けられた凸型磁気コアと、この凸型磁気コアの凸状部が挿通される前記電子ペーパーの綴じ込み用の孔を囲んで設けられた平面環状コイルとからなる電磁誘導構造を以て電源電圧信号を供給／受給するので、電子ペーパーの綴じ込み孔を上手く利用した無線による電源供給手段を構築できる。
【００３５】
本発明の請求項１３に記載の電子ペーパー記録装置によれば、前記請求項１ないし請求項１２の何れか１項に記載の電子ペーパー記録装置において、電子ペーパーは、さらに、ペーパー装着部に対する装着位置を当該ペーパー装着部へ通知する装着位置通知手段を備え、ペーパー装着部は、さらに、操作位置検出手段により検出された前記電子ペーパーの表示画面に対するユーザ操作位置を前記電子ペーパーの装着位置通知手段により通知されるペーパー装着位置に応じて補正し、この補正後のユーザ操作位置に応じたデータを電子ペーパーの不揮発性表示手段により表示させるので、電子ペーパーの装着位置のずれに関係なく、手書き操作位置に正確に対応したデータを電子ペーパー面に不揮発表示させることができる。
【００３６】
本発明の請求項１４に記載の電子ペーパー記録装置によれば、前記請求項５に記載の電子ペーパー記録装置において、電子ペーパーの装着状態通知手段として設けられた電磁誘導コイルにより発生される電磁誘導信号を、ペーパー装着部の操作位置検出手段として設けられている電磁誘導信号の発生位置を検出するタブレットによって検出して、電子ペーパーがペーパー装着部に正しく装着された状態であることを検出できる。
【００３７】
本発明の請求項１５に記載の電子ペーパー記録装置によれば、前記請求項１３に記載の電子ペーパー記録装置において、電子ペーパーの装着位置通知手段として複数箇所に設けられた電磁誘導コイルにより発生される電磁誘導信号を、ペーパー装着部の操作位置検出手段として設けられている電磁誘導信号の発生位置を検出するタブレットによって検出して、電子ペーパーのペーパー装着部に対する装着位置を検出でき、同ペーパー装着部のタブレットにより検出された前記電子ペーパーの表示画面に対するユーザ操作位置を補正できる。
【００３８】
本発明の請求項１６に記載の電子ペーパー記録装置によれば、前記請求項１ないし請求項１５の何れか１項に記載の電子ペーパー記録装置において、ペーパー装着部のソフトキー制御手段によって、電子ペーパーをソフトキーボードとして機能させることができる。
【００３９】
本発明の請求項１７に記載の電子ペーパー記録装置によれば、電子ペーパーをペーパー装着部に装着すると、電子ペーパーのペーパー識別子記憶手段から読み出される電子ペーパーの識別子が外部接続手段により接続されたサーバ装置へ送信され、当該サーバ装置から受信された表示コンテンツが前記電子ペーパーへ送信されその不揮発性表示手段により表示される。そして前記電子ペーパーの表示画面に対するユーザ操作位置がペーパー装着部の操作位置検出手段により検出されると、このユーザ操作位置が前記外部接続されたサーバ装置へ送信され、これに応答して該サーバ装置から受信されたデータが前記電子ペーパーへ送信されてその不揮発性表示手段により表示されるので、電子ペーパー上でのユーザ操作位置に対応したデータ表示が可能な紙のように扱える電子ペーパーを、サーバ−クライアントシステムの端末（ペーパークライアント）として使用することができる。
【００４０】
本発明の請求項１８に記載の電子ペーパー記録装置によれば、電子ペーパーが着脱自在に装着されるペーパー装着部に対し電子ペーパーを装着し、当該電子ペーパーの表示画面に対してユーザ操作を行うと、この電子ペーパーの表示画面に対するユーザ操作位置が操作位置検出手段により検出される。するとペーパー装着部において、前記電子ペーパーの操作位置検出手段により検出された表示画面に対するユーザ操作位置が通信手段を介して受信され、このユーザ操作位置に応じたデータが通信手段を介して前記電子ペーパーへ送信され、当該電子ペーパーの不揮発性表示手段により表示されるので、電子ペーパーに対するユーザ操作に応じたデータをその不揮発性表示手段に表示させ、紙のように書き込んで取り外し持ち歩いて扱うことができる。
【００４１】
よって本発明によれば、表示面に対し直接的に為された手書きデータを通常の紙を使用する場合と同じように書き込んで表示保持させることが可能になる電子ペーパー記録装置を提供できる。
【発明を実施するための最良の形態】
【００４２】
以下図面により本発明の実施の形態について説明する。
【００４３】
（第１実施形態）
図１は、本発明の第１実施形態（その１）に係る電子ペーパー記録装置（片面タイプ）１０Ａの構成を示す図であり、同図（Ａ）は外観構成を示す斜視図、同図（Ｂ）は１枚の電子ペーパー（片面タイプ）１１Ａを抜き出して示す正面図である。
【００４４】
この電子ペーパー記録装置（片面タイプ）１０Ａは、その表面に不揮発性表示装置１７を有する複数枚の電子ペーパー（片面タイプ）１１Ａ…と、この複数枚の電子ペーパー１１Ａ…を重ねて載置する電子下敷（片面タイプ）１２Ａとを備え、各電子ペーパー１１Ａ…は電子下敷１２Ａの左側中央に設けられた片面バインダー部１３にその左辺中央を挟み込ませて綴じられる。
【００４５】
電子下敷１２Ａは、その表面における電子ペーパー１１Ａ…の載置面に対応させて例えば電磁誘導方式によるタブレット１４を備え、このタブレット１４によって電子ペン１５による最上部の電子ペーパー１１Ａ上での手書き位置に対応する座標位置を検出する。そして、バインダー部１３を利用して設けられた後述の非接触型の電源供給手段及び通信手段（図３〜図６参照）を介して電子ペーパー１１Ａに内蔵された表示用の記憶装置に対し前記手書き位置の検出座標に対応した表示データを記憶させ、電子ペーパー１１Ａの不揮発性表示装置１７を表示動作させる。
【００４６】
電子ペーパー１１Ａの不揮発性表示装置１７は、例えば透明の電極板間に＋に帯電した黒色粒子と−に帯電した白色粒子とを交互にマトリクス状に仕切って封入し、一方の電極板を−（マイナス）に帯電させることで黒色表示となり、＋（プラス）に帯電させることで白色表示となるもので、当該電極板は電圧の印加によってその最後に印加した電圧の極性に帯電し、無電源状態での表示が保持される。
【００４７】
これにより、電子下敷１２Ａおよびそのバインダー部１３を介して外部から入力された表示データを電子ペーパー１１Ａにて表示できるだけでなく、前記電子ペン１５によって直接的に書き込んだ手書きデータをも表示させることができ、しかもその電子ペーパー１１Ａを、図１（Ｂ）に矢印ａで示すように、電子下敷１２Ａから取り外すことで、通常の紙と同じように取り扱うことができる。
【００４８】
図２は、本発明の第１実施形態（その１）に係る電子ペーパー記録装置（両面タイプ）１０Ｂの構成を示す図であり、同図（Ａ）は外観構成を示す斜視図、同図（Ｂ）は１枚の電子ペーパー（両面タイプ）１１Ｂを抜き出し裏面にして示す正面図である。
【００４９】
この電子ペーパー記録装置（両面タイプ）１０Ｂで使用する複数枚の電子ペーパー（両面タイプ）１１Ｂ…は、その表面と裏面との両面にそれぞれ前述の不揮発性表示装置１７Ｒ，１７Ｌを有し、見開き型電子下敷１２Ｂの中央に設けられた見開きバインダー部１６によってそれぞれその一端部が貫通されて綴じられる。
【００５０】
見開き型電子下敷１２Ｂは、その左右の各見開き面における電子ペーパー１１Ｂ…の載置面にそれぞれ例えば電磁誘導方式によるタブレット１４Ｒ，１４Ｌを備え、このタブレット１４Ｒ，１４Ｌの各々によって電子ペン１５による右側最上部の電子ペーパー１１Ｂの表面上と左側最上部の電子ペーパー１１Ｂの裏面上での手書き位置に対応する座標位置を検出する。そして、見開きバインダー部１６に対応して設けられた後述の非接触型の電源供給手段及び通信手段（図３〜図６参照）を介して電子ペーパー１１Ｂに内蔵された表示用の記憶装置に対し前記表面と裏面の各手書き位置の検出座標に対応した表示データを記憶させ、電子ペーパー１１Ｂをその両面の不揮発性表示装置１７Ｒ，１７Ｌで表示動作させる。
【００５１】
これにより、電子下敷１２Ｂおよびその見開きバインダー部１６を介して外部から入力された表示データを電子ペーパー（両面タイプ）１１Ｂの表裏面にて表示できるだけでなく、前記電子ペン１５によって直接的に書き込んだ手書きデータをも同表裏面に表示させることができ、しかもその電子ペーパー１１Ｂを、図２（Ｂ）に矢印ｃで示すように、電子下敷１２Ｂから取り外すことで、通常の表と裏のある紙と同じように取り扱うことができる。
【００５２】
図３は、前記第１実施形態（その１）の電子ペーパー記録装置１０Ａ，１０Ｂにおける電子ペーパー１１Ａ，１１Ｂの構成を示す図であり、同図（Ａ）は電子ペーパー（片面タイプ）１１Ａを表側から見て示す構成図、同図（Ｂ）は電子ペーパー（両面タイプ）１１Ｂを裏側から見て示す構成図である。
【００５３】
なお、表側から見た電子ペーパー（片面タイプ）１１Ａの構成と電子ペーパー（両面タイプ）１１Ｂの構成とは同じである。
【００５４】
電子ペーパー１１Ａ，１１Ｂには、その中央の略全領域に渡って不揮発性表示装置（表）１７（１７Ｒ），（裏）１７Ｌが設けられ、また綴じ込み部１８には、フレキシブルＩＣチップからなる制御装置１９、個別の電子ペーパーＩＤを記憶するＩＤ記憶部２０、表示データを記憶する（情報）記憶装置２１が表裏共用として内蔵される。
【００５５】
さらに、前記綴じ込み部１８の中央に設けられた一方のバインダー用貫通孔１６ａの周囲には非接触型の電磁誘導電源部２２が表裏共用として内蔵され、また、もう一方のバインダー用貫通孔１６ｂの周囲には非接触型の通信装置２３が表裏共用として内蔵される。
【００５６】
また、電子ペーパー１１Ａ，１１Ｂの表側上部と、電子ペーパー１１Ｂの裏側上部とには、それぞれキーやタッチパッドなどを使用した入力装置２４（２４Ｒ），２４Ｌが設けられ、当該ペーパー上部の前記綴じ込み部１８とは反対の端部には、光センサーを使用した重なり検出センサー２５（２５Ｒ），２５Ｌが設けられる。
【００５７】
そして、前記電子ペーパー１１Ａ，１１Ｂにおける不揮発性表示装置（表）１７（１７Ｒ），（裏）１７Ｌの４角の位置には、当該電子ペーパー１１Ａ，１１Ｂの電子下敷タブレット１４（１４Ｒ），１４Ｌに対する載置位置の位置ずれ検出のためのキャリブレーションポインタ（図８参照）２６ａ〜２６ｄが表裏共用として内蔵される。
【００５８】
図４は、前記第１実施形態（その１）の電子ペーパー記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図である。
【００５９】
なお、正面から見た電子下敷（片面タイプ）１２Ａの構成と見開き型電子下敷１２Ｂの右面を見た構成とは同じである。
【００６０】
電子下敷１２Ａ，１２Ｂには、その中央の略全領域に渡って例えば電磁誘導方式のタブレット１４（１４Ｒ），１４Ｌが設けられ、またペーパー綴じ込み部２７には、ＩＣチップからなる制御装置２８、個別の電子下敷ＩＤを記憶するＩＤ記憶部２９、電子ペーパー１１Ａ，１１Ｂに対する表示用データなどを記憶する（情報）記憶装置３０が内蔵される。
【００６１】
また、電子下敷１２Ａ，１２Ｂの右端部、同電子下敷１２Ｂの左端部には、それぞれキーやタッチパッドなどを使用した下敷用入力装置３１（３１Ｒ），３１Ｌが設けられ、さらに上端部にはＬＣＤモニタなど常時電源供給の必要な表示装置をコネクタ接続するための接触型表示Ｉ／Ｆ（インターフェイス）３２、外部の通信ネットワークやそのネットワーク上にあるサーバコンピュータなどとの接続を図るための外部接続装置３３が設けられる。
【００６２】
さらに、前記ペーパー綴じ込み部２７のバインダー位置に対応させた中央部分には、電磁誘導電源供給部３５（３５Ｒ），３５Ｌが内蔵され、この電磁誘導電源供給部３５（３５Ｒ），３５Ｌから電磁誘導によって前記電子ペーパー１１Ａ，１１Ｂへの非接触電源供給を行うための電源供給用コア３４（３４Ｒ），３４Ｌが設けられる。
【００６３】
また、同ペーパー綴じ込み部２７のバインダー位置に対応させた中央部分には、通信装置３７（３７Ｒ），３７Ｌが内蔵され、この通信装置３７（３７Ｒ），３７Ｌから電磁誘導によって前記電子ペーパー１１Ａ，１１Ｂへの非接触通信を行うための通信用コア３６（３６Ｒ），３６Ｌが設けられる。
【００６４】
そしてこの電子下敷１２Ａ，１２Ｂには、例えば充電式のバッテリー３８が内蔵され、このバッテリー３８によって前記タブレット１４（１４Ｒ），１４Ｌ、制御装置２８、ＩＤ記憶部２９、記憶装置３０、下敷用入力装置３１（３１Ｒ），３１Ｌ、接触型表示Ｉ／Ｆ３２を介して接続される外部の表示装置（図１０参照）にそれぞれ電力が供給されると共に、前記電磁誘導電源供給部３５（３５Ｒ），３５Ｌから電源供給用コア３４（３４Ｒ），３４Ｌを介して当該電子下敷１２Ａ，１２Ｂに載置される前記電子ペーパー１１Ａ，１１Ｂへと非接触で電力が供給される。
【００６５】
図５は、前記第１実施形態（その１）の電子ペーパー記録装置１０Ａ，１０Ｂにおいて電子下敷１２Ａ，１２Ｂのバインダー部１３，１６に対応させて設けた電子ペーパー１１Ａ，１１Ｂへの電源供給と通信接続を行うための電磁誘導部（平面タイプ）の構成を示す図である。
【００６６】
この電磁誘導部（平面タイプ）は、バインダー用貫通孔１６ａ，１６ｂ（図３参照）を持たない電子ペーパー１１Ａ，１１Ｂの綴じ込み部１８の電磁誘導電源部２２と通信部２３に対して電磁誘導による電源供給と通信接続を行うもので、電子ペーパー（片面タイプ）１１Ａおよび（両面タイプ）１１Ｂの何れの場合でも、電子下敷１２Ａ，１２Ｂの電磁誘導電源供給部３５（３５Ｒ），３５Ｌや通信装置３７（３７Ｒ），３７Ｌに設けた下敷側コア３９の先端露出面に対応する位置にはペーパー内コア４０…が内蔵され、このペーパー内コア４０の周囲を囲むように信号取り出し用の平面コイル４１が内蔵される。
【００６７】
なお、図５（Ａ１）で示す電子下敷（片面タイプ）１２Ａの電磁誘導部の場合には、その電子ペーパー（片面タイプ）１１Ａを綴じ込むバインダー部１３の内部にも下敷側コア３９を延長させ、当該電子ペーパー（片面タイプ）１１Ａのペーパー内コア４０…と合わせて電磁力線の磁束ループが損失少なく形成されるようにする。同図５（Ａ１）において４２はバインダー部１３の綴じ込み力を有するヒンジである。
【００６８】
図７は、前記第１実施形態（その１）の電子ペーパー記録装置１０Ａ，１０Ｂの電磁誘導部において電子ペーパー（片面タイプ）１１Ａ…の綴じ込み部１８にペーパー内コア４０…を設けた場合と設けない場合とで磁束ループＢの形成状態を対比して示す図である。
【００６９】
すなわち、図７（Ａ）に示すように、電子ペーパー（片面タイプ）１１Ａ…の綴じ込み部１８にペーパー内コア４０…を設けた場合には、図７（Ｂ）で示す設けない場合に較べて、下敷側コア３９との間で当該ペーパー内コア４０…を介し磁気抵抗が低くなり漏れ磁束少なく磁束ループＢがスムーズに通過形成されるので、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３から下敷側コア３９を経て、電子ペーパー１１Ａ，１１Ｂのペーパー内コア４０…からペーパー側平面コイル４１へと効率よく伝送され、その電磁誘導電源部２２へと電源供給され、通信部２３へと受信されるようになる。
【００７０】
図６は、前記第１実施形態（その１）の電子ペーパー記録装置１０Ａ，１０Ｂにおいて電子下敷１２Ａ，１２Ｂのバインダー部１３，１６に対応させて設けた電子ペーパー１１Ａ，１１Ｂへの電源供給と通信接続を行うための電磁誘導部（凸面タイプ）の構成を示す図である。
【００７１】
この電磁誘導部（凸面タイプ）は、バインダー用貫通孔１６ａ，１６ｂ（図３参照）を有する電子ペーパー１１Ａ，１１Ｂの綴じ込み部１８の電磁誘導電源部２２と通信部２３に対して電磁誘導による電源供給と通信接続を行うもので、図６（Ａ１）に示すように、電子ペーパー（片面タイプ）１１Ａの場合には、電子下敷（片面タイプ）１２Ａの電磁誘導電源供給部３５や通信装置３７に対応して設けたバインダー兼用凸型コア３９ａを電子ペーパー（片面タイプ）１１Ａの綴じ込み部１８におけるバインダー用貫通孔１６ａ，１６ｂに挿通係止させ、当該電子ペーパー（片面タイプ）１１Ａの綴じ込みを行う。
【００７２】
また、図６（Ｂ）に示すように、電子ペーパー（両面タイプ）１１Ｂの場合には、電子下敷（両面タイプ）１２Ｂの電磁誘導電源供給部３５や通信装置３７に対応して設けたバインダー兼用凸型リング状コア３９ｂ（１６）を電子ペーパー（両面タイプ）１１Ｂの綴じ込み部１８におけるバインダー用貫通孔１６ａ，１６ｂに挿通係止させ、当該電子ペーパー（両面タイプ）１１Ｂの綴じ込みを行う。同図６（Ｂ）において４４は見開きバインダー部１６（３９ｂ）の綴じ込み力を有するヒンジである。
【００７３】
なお、図６で示すバインダー用貫通孔１６ａ，１６ｂを有する電子ペーパー１１Ａ，１１Ｂに対しての電子下敷１２Ａ，１２Ｂの電磁誘導部の場合には、一方の電子下敷（片面タイプ）１２Ａの場合、他方の電子下敷（両面タイプ）１２Ｂの場合の何れにあっても、バインダー兼用凸型コア３９ａあるいはバインダー兼用凸型リング状コア３９ｂによって電子ペーパー１１Ａ，１１Ｂのバインダー用貫通孔１６ａ，１６ｂを通過する環状コアが形成されるので、電磁力線の磁束ループがより損失なく形成される。
【００７４】
すなわち、電子下敷１２Ａ，１２Ｂの電磁誘導電源供給部３５（３５Ｒ），３５Ｌから出力される電源エネルギ信号、そして、通信部３７（３７Ｒ），３７Ｌから送信される通信信号は、下敷側コイル４３からバインダー兼用凸型コア３９ａあるいはバインダー兼用凸型リング状コア３９ｂを経て、電子ペーパー１１Ａ，１１Ｂのペーパー側平面コイル４１へとより効率よく伝送され、その電磁誘導電源部２２へと電源供給され、通信部２３へと受信されるようになる。
【００７５】
図８は、前記第１実施形態（その１）の電子ペーパー記録装置１０Ａ，１０Ｂにおける電子ペーパー１１Ａ（１１Ｂ）のキャリブレーションポインタ２６ａ〜２６ｄと電子下敷１２Ａ（１２Ｂ）のタブレット１４との位置関係を示す図である。
【００７６】
電子下敷１２Ａ（１２Ｂ）のタブレット１４上に載置された電子ペーパー１１Ａ（１１Ｂ）上で電子ペン１５によって手書き作業を行うと、当該電子ペン１５による書き込み位置は、電子下敷１２Ａ（１２Ｂ）のタブレット１４によって座標検出される。
【００７７】
この際、電子ペーパー１１Ａ（１１Ｂ）のタブレット１４上での載置位置は、電磁誘導コイルによって構成されたキャリブレーションポインタ２６ａ〜２６ｄの各位置が同タブレット１４によって座標検出されることで、その規定の載置位置からの座標の位置ずれが電子下敷１２Ａ（１２Ｂ）の制御装置２８によって計算検出される。
【００７８】
これにより、電子ペーパー１１Ａ（１１Ｂ）上での電子ペン１５での書き込み作業に伴い電子下敷１２Ａ（１２Ｂ）のタブレット１４によって検出される座標位置は、前記計算検出された電子ペーパー１１Ａ（１１Ｂ）の規定の載置位置からの位置ずれ量に応じて補正され、この補正後の書き込み座標位置に従って電子ペーパー１１Ａ（１１Ｂ）の通信部２３から（情報）記憶装置２１に対し書き込み軌跡の表示データが記憶され、不揮発性表示装置１７での手書きデータ表示が行われる。
【００７９】
図９は、前記電子ペーパー記録装置（両面タイプ）１０Ｂの電子下敷（両面タイプ）１２Ｂに対して異なるサイズを含む複数枚の電子ペーパー（両面タイプ）１１Ｂ（Ａ〜Ｅ）を綴じ込んだ場合の有効な電子ペーパーの判別機能を説明する図であり、同図（Ａ）は複数枚の電子ペーパー（両面タイプ）１１Ｂ（Ａ〜Ｅ）の電子下敷（両面タイプ）１２Ｂに対する閉じ開き状態を示す図、同図（Ｂ）は有効電子ペーパーの判別テーブルを示す図である。
【００８０】
例えば、電子下敷（両面タイプ）１２Ｂの左面のタブレット１４Ｌ上には１枚の電子ペーパー１１Ｂ（Ａ）が開かれ、また右面のタブレット１４Ｒ上には３枚の電子ペーパー１１Ｂが（Ｄ）→（Ｃ）→（Ｅ）の順に重ねられ、さらに電子ペーパー１１Ｂ（Ｂ）が当該電子下敷（両面タイプ）１２Ｂの中間付近に中立している状態では、左面のタブレット１４Ｌ上にある電子ペーパー１１Ｂ（Ａ）の裏面側重なり検出センサー２５Ｌに受光ａが検出され「重なり無し」と判別されると共に、キャリブレーションポインタ２６ａ〜２６ｄによってその座標位置がタブレット１４Ｌに検出されるので、当該電子ペーパー１１Ｂ（Ａ）は電子下敷（両面タイプ）１２Ｂの左面上で有効（アクティブ）と判別される。
【００８１】
また、中立している電子ペーパー１１Ｂ（Ｂ）の表裏面側重なり検出センサー２５Ｒ，２５Ｌに受光ｂが検出され「重なり無し」と判別される一方で、そのキャリブレーションポインタ２６ａ〜２６ｄからの電磁誘導信号は電子下敷１２Ｂにおける左右何れのタブレット１４Ｌ，１４Ｒにも検出されないので、当該電子ペーパー１１Ｂ（Ｂ）は無効（非アクティブ）と判別される。
【００８２】
また、右面のタブレット１４Ｒ上に重ねてある３枚の電子ペーパー１１Ｂ（Ｄ）（Ｃ）（Ｅ）については、何れの電子ペーパー１１Ｂ（Ｄ）（Ｃ）（Ｅ）もそのキャリブレーションポインタ２６ａ〜２６ｄによってタブレット１４Ｒに検出される一方で、電子ペーパー１１Ｂ（Ｃ）（Ｄ）の各表側重なり検出センサー２５Ｒにだけ受光ｃ，ｅが検出されて「重なり無し」と判別されるものの、そのうちペーパーサイズが小さい方の電子ペーパー１１Ｂ（Ｅ）が優先され電子下敷（両面タイプ）１２Ｂの右面上で有効（アクティブ）と判別される。
【００８３】
従って、電子下敷１２Ｂの制御装置２８では、その電磁誘導部を介して非接触で通信接続されている各電子ペーパー１１Ｂ（Ａ〜Ｅ）それぞれのＩＤに対応付けて、その表裏の重なり検出センサー２５Ｒ，２５Ｌによる重なり有無検出、キャリブレーションポインタ２６ａ〜２６ｄによるアクティブ有無検出、各ペーパーサイズなどを収集管理することで、左右それぞれのタブレット１４Ｌ，１４Ｒ上にある有効（アクティブ）な電子ペーパー１１Ｂを判別でき、当該左右のタブレット１４Ｌ，１４Ｒにて検出された電子ペン１５による手書きデータを、前記電磁誘導部を介してその有効（アクティブ）な電子ペーパー１１ＢのＩＤを有する不揮発性表示装置１７Ｒ，１７Ｌに表示させることができる。
【００８４】
図１０は、前記第１実施形態（その１）の電子ペーパー記録装置１０Ａ，１０Ｂにおける電子下敷１２Ａ，１２Ｂに綴じ込み載置されその接触型表示Ｉ／Ｆ（インターフェイス）３２に対して接続使用される表示装置４５の構成を示す正面図である。
【００８５】
この表示装置４５は、その中央の略全域に駆動時には常時電源供給を要するＬＣＤ表示装置４６を備え、当該ＬＣＤ表示装置４６の４角に対応する位置には前記電子ペーパー１１Ａ，１１Ｂにおけるそれと同様の構成・機能を有するキャリブレーションポインタ２６ａ〜２６ｄが内蔵される。
【００８６】
また、電子下敷１２Ａ，１２Ｂに対して載置する際の綴じ込み部４７には、バインダー用貫通孔１６ａ，１６ｂが形成されると共に、ＩＣチップからなる制御装置４８、個別の表示装置ＩＤを記憶するＩＤ記憶部４９、表示データを記憶する（情報）記憶装置５０が内蔵される。
【００８７】
さらに、この表示装置４５の上部には、キーやタッチパッドなどを使用した入力装置５１が設けられ、当該装置上部の前記綴じ込み部４７とは反対の端部には、前記同様の構成・機能を有する重なり検出センサー２５が設けられる。
【００８８】
そして、同装置上部の裏面側には、前記電子下敷１２Ａ，１２Ｂの表面上部に設けられた接触型表示Ｉ／Ｆ３２とコネクタ接続して電力の供給や表示データの入力を受けるための接触型表示Ｉ／Ｆ５２が設けられる。
【００８９】
図１１は、前記第１実施形態（その１）の電子ペーパー記録装置１０Ａ，１０Ｂをシンクライアント（サーバベースコンピューティング）システムの端末として組み込んだ場合の電子回路の構成を示すブロック図である。
【００９０】
このシンクライアントシステムとは、端末側の機能を操作入力と表示出力のみに限定し、この端末操作入力に応じた全ての処理・データ生成・データ記憶保持をサーバ装置５３側で行うことで、高機能端末を要さず且つデータ保護の安全性を確保したものである。
【００９１】
電子ペーパー１１Ａ（１１Ｂ）の電子回路は、前記図３を参照して説明したように、例えばフレキシブルＩＣチップのコンピュータである低機能ＣＰＵからなる制御装置１９を中心にして、不揮発性表示装置１７（１７Ｒ，１７Ｌ）、ＩＤ記憶部２０、情報記憶装置２１、電磁誘導電源部２２、通信装置２３、入力装置２４（２４Ｒ，２４Ｌ）、重なり検出センサー２５（２５Ｒ，２５Ｌ）、キャリブレーションポインタ２６ａ〜２６ｄが接続される。
【００９２】
電子下敷１２Ｂ（１２Ａ）の電子回路は、前記図４を参照して説明したように、例えばフレキシブルＩＣチップのコンピュータである低機能ＣＰＵからなる制御装置２８を中心にして、タブレット１４Ｒ，１４Ｌ（１４）、ＩＤ記憶部２９、情報記憶装置３０、入力装置３１Ｒ，３１Ｌ（３１）、接触型表示Ｉ／Ｆ３２、外部接続装置３３、電磁誘導電源供給部３５Ｒ，３５Ｌ（３５）、通信装置３７Ｒ，３７Ｌ（３７）、電源部（バッテリー）３８が接続される。
【００９３】
前記電子ペーパー１１Ａ（１１Ｂ）…は、前記電子下敷１２Ｂ（１２Ａ）に対して、前記図１，図２で示したように、そのバインダー部１６（１３）によってタブレット１４Ｒ，１４Ｌ（１４）上に載置して綴じることで、前記図５，図６で示したような電磁誘導部を介して、電子下敷１２Ｂ（１２Ａ）の電磁誘導電源供給部３５Ｒ，３５Ｌ（３５）が電子ペーパー１１Ａ（１１Ｂ）…の電磁誘導電源部２２に電磁接続され、また電子下敷１２Ｂ（１２Ａ）の通信装置３７Ｒ，３７Ｌ（３７）が電子ペーパー１１Ａ（１１Ｂ）…の通信装置２３に電磁接続される。
【００９４】
そして、電子ペーパー１１Ａ（１１Ｂ）…のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対する電子ペーパー１１Ａ（１１Ｂ）…の載置位置が検出される。
【００９５】
電子ペン１５は、当該ペンＩＤを記憶するＩＤ記憶部１５ａと、このＩＤ記憶部１５ａに記憶されたペンＩＤを読み出してコード信号を生成出力するＩＣチップの制御部１５ｂと、この制御部１５ｂにより生成出力されたペンＩＤのコード信号を電磁誘導信号に変換して出力するコイルを備えた通信装置１５ｃを有する。
【００９６】
前記電子ペーパー１１Ａ（１１Ｂ）の各回路部を制御装置１９が制御するためのプログラムデータは情報記憶装置２１に記憶され、またこの情報記憶装置２１には、当該電子ペーパー１１Ａ（１１Ｂ）の仕様である固有情報（図１３参照）の他、入力装置２４（２４Ｒ，２４Ｌ）からのキー操作入力だけでなく、電子ペン１５からの電子下敷１２Ｂ（１２Ａ）による手書き位置検出入力、あるいは外部接続されたサーバ装置５３からのテキスト・画像などの入力に応じたデータを不揮発性表示装置１７（１７Ｒ，１７Ｌ）に表示させるための表示データなども記憶される。
【００９７】
前記電子下敷１２Ｂ（１２Ａ）の各回路部を制御装置２８が制御するためのプログラムデータは情報記憶装置３０に記憶され、またこの情報記憶装置３０には、綴じ込み中である各電子ペーパー１１Ａ（１１Ｂ）…を管理するための管理情報（図１２参照）の他、入力装置３１Ｒ，３１Ｌ（３１）からのキー操作入力だけでなく、タブレット１４Ｒ，１４Ｌ（１４）による前記電子ペン１５からの手書き位置検出入力、あるいは外部接続されたサーバ装置５３からのテキスト・画像などの入力に応じたデータを現在有効（アクティブ）な電子ペーパー１１Ａ（１１Ｂ）へ送信して表示させるための表示データなども一時記憶される。
【００９８】
そして、表示装置４５は、前記図１０を参照して説明したように、前記電子ペーパー１１Ａ（１１Ｂ）…と同様にして前記電子下敷１２Ｂ（１２Ａ）のバインダー部１６（１３）に必要に応じて綴じられ、その各々の接触型表示Ｉ／Ｆ３２，５２によって接続される。この表示装置４５においても、電子ペン１５からの電子下敷１２Ｂ（１２Ａ）による手書き位置検出入力、あるいは外部接続されたサーバ装置５３からのテキスト・画像などの入力に応じたデータをＬＣＤ表示装置４６にて表示できる。
【００９９】
図１２は、前記第１実施形態（その１）の電子ペーパー記録装置１０Ａ，１０Ｂの電子下敷１２Ｂ（１２Ａ）の情報記憶装置３０にて記憶管理される電子ペーパー管理テーブル５４の内容を示す図である。
【０１００】
この電子ペーパー管理テーブル５４は、電子下敷１２Ｂ（１２Ａ）のバインダー部１６（１３）に綴じられてタブレット１４Ｒ，１４Ｌ（１４）上に載置された電子ペーパー１１Ａ（１１Ｂ）…のそれぞれから通信受信される当該各電子ペーパー１１Ａ（１１Ｂ）…の固有情報（電子ペーパーＩＤ：ＩＤ・表裏コード・サイズ）および重なり検出センサー２５（２５Ｒ，２５Ｌ）による重なり検出情報と、各電子ペーパー１１Ａ（１１Ｂ）…のキャリブレーションポインタ２６ａ〜２６ｄの位置がタブレット１４Ｒ，１４Ｌ（１４）により座標検出されることによって認識される手書き位置の補正情報および前記重なり検出情報を加えて判別されるアクティブ（有効）情報とからなる。
【０１０１】
この電子ペーパー管理テーブル５４に従って、電子下敷１２Ｂ（１２Ａ）の右面と左面とにおける現在有効（アクティブ）な電子ペーパー１１Ａ（１１Ｂ）を認識し、当該有効（アクティブ）な電子ペーパーＩＤに基づいた操作信号の入力処理および表示データの送信処理を実行する。
【０１０２】
図１３は、前記第１実施形態（その１）の電子ペーパー記録装置１０Ａ，１０Ｂにおける各電子ペーパー１１Ａ（１１Ｂ）…のＩＤ記憶部２０に記憶された電子ペーパー固有情報５５を示す図である。
【０１０３】
この電子ペーパー固有情報５５は、該当するペーパーＩＤ・表裏コード・サイズ、および各キャリブレーションポインタ（１）２６ａ〜（４）２６ｄの不揮発性表示装置１７（１７Ｒ，１７Ｌ）に相対する補正用の位置情報からなっている。
【０１０４】
図１４は、前記第１実施形態（その１）の電子ペーパー記録装置１０Ａ，１０Ｂをシンクライアント（サーバベースコンピューティング）システムの端末として組み込んだ場合において、電子下敷１２Ｂ（１２Ａ）上に表示装置４５だけを接続した状態での電子回路の構成を示すブロック図である。
【０１０５】
表示装置４５の電子回路は、前記図１０を参照して説明したように、コンピュータである低機能ＣＰＵからなる制御装置４８を中心にして、ＬＣＤ表示装置４６、ＩＤ記憶部４９、情報記憶装置５０、入力装置３１，５１、接触型表示Ｉ／Ｆ５２、重なり検出センサー２５、キャリブレーションポインタ２６ａ〜２６ｄが接続される。
【０１０６】
この表示装置４５は、前記電子下敷１２Ｂ（１２Ａ）に対して、そのバインダー部１６（１３）によってタブレット１４Ｒ，１４Ｌ（１４）上に載置して綴じることで、相互の接触型表示Ｉ／Ｆ３２，５２を介して接続され、電源供給されると共に通信接続される。
【０１０７】
そして、表示装置４５のキャリブレーションポインタ２６ａ〜２６ｄから発生される電磁誘導信号が電子下敷１２Ｂ（１２Ａ）のタブレット１４Ｒ，１４Ｌ（１４）により座標検出されることで、当該タブレット１４Ｒ，１４Ｌ（１４）に対するＬＣＤ表示装置４６の載置位置が検出される。
【０１０８】
前記表示装置４５の各回路部を制御装置４８が制御するためのプログラムデータは情報記憶装置５０に記憶され、またこの情報記憶装置５０には、各入力装置３１，５１からのキー操作入力だけでなく、電子ペン１５からの電子下敷１２Ｂ（１２Ａ）による手書き位置検出入力、あるいは外部接続されたサーバ装置５３からのテキスト・画像などの入力に応じたデータをＬＣＤ表示装置４６に表示させるための表示データなども記憶される。
【０１０９】
図１５は、前記第１実施形態（その１）の電子ペーパー記録装置１０Ｂを端末としネットワーク上のサーバ装置へ接続して使用する場合の構成例を示すブロック図であり、同図（Ａ）はシンクライアントシステムのサーバ装置５３に接続しリモートアクセスベースで使用する場合を示す図、同図（Ｂ）はインターネットシステムのサーバ装置５３Ｗに接続しウェブアクセスベースで使用する場合を示す図である。
【０１１０】
サーバ装置５３，５３Ｗは、何れもコンピュータであるＣＰＵからなる制御装置５６を備え、この制御装置５６を中心にして入力装置５７、記憶装置５８、表示装置５９が接続され、またネットワーク（ＬＡＮ・無線ＬＡＮ・ＷＡＮ）上の端末（電子ペーパー記録装置１０Ｂ）と通信接続するための通信装置６０が接続される。
【０１１１】
前記サーバ装置５３，５３Ｗの記憶装置５８には、種々の制御情報や各端末（電子ペーパー記録装置１０Ｂ…）からの要求に応じて配信すべきコンテンツなどの情報を記憶管理するための情報管理部５８ａをはじめ、各クライアントのＩＤを記憶管理するためのクライアントＩＤ管理部５８ｂ、各端末（電子ペーパー記録装置１０Ｂ…）における電子下敷１２Ｂ…のＩＤを記憶管理するための電子下敷ＩＤ管理部５８ｃ、この電子下敷ＩＤ管理部５８ｃにて管理される各電子下敷１２Ｂ…毎に綴じられた電子ペーパー１１Ｂ…のＩＤを記憶管理するための電子ペーパーＩＤ管理部５８ｄが生成される。
【０１１２】
なお、図１５（Ａ）に示すように、端末（電子ペーパー記録装置１０Ｂ）をシンクライアントシステムによりリモートベースで使用する場合には、そのサーバ装置５３には各端末電子下敷１２Ｂ…毎の電子ペーパー１１Ｂ…それぞれに対応した制御情報および表示コンテンツなどの動作状態情報を記憶管理するための仮想ペーパークライアント５８ｅ…が生成される。
【０１１３】
図１６は、前記第１実施形態（その１）の電子ペーパー記録装置１０Ｂをシンクライアントシステムの端末として使用する場合にそのサーバ装置５３にて生成される仮想ペーパークライアント５８ｅ…の構成を示す図である。
【０１１４】
この場合の仮想ペーパークライアント５８ｅ…は、各端末（電子ペーパー記録装置１０Ｂ…）の電子下敷１２Ｂに載置された電子ペーパー１１Ｂ…毎に、その制御情報および表示コンテンツなどの動作状態情報を記憶管理するための仮想コンソール６１が生成される。
【０１１５】
図１７は、前記第１実施形態（その１）の電子ペーパー記録装置１０Ｂをシンクライアントシステムの端末として使用した場合にそのサーバ装置５３にて生成された仮想ペーパークライアント５８ｅ…にて記憶管理される基本情報を示す図である。
【０１１６】
この仮想ペーパークライアント５８ｅにおける基本情報は、ログインが許可されている端末（電子ペーパー記録装置１０Ｂ）の電子下敷１２ＢのＩＤ、当該電子下敷１２Ｂにてその使用が検知されている電子ペーパー１１ＢのＩＤ、当該電子ペーパー１１Ｂの表裏コード、そしてその有効（アクティブ）有無、当該有効（アクティブ）な電子ペーパー１１Ｂに対する初期画面となるデフォルトデータからなっている。
【０１１７】
図１８は、前記図１５におけるサーバクライアントシステムのサーバ装置５３，５３ＷのクライアントＩＤ管理部５８ｂにて記憶管理されるユーザ認証テーブル６２の内容を示す図である。
【０１１８】
このユーザ認証テーブル６２には、該当のサーバ装置５３，５３Ｗへログイン可能な各端末（電子ペーパー記録装置１０Ｂ…）毎に予め設定されたユーザＩＤとその認証用パスワードが対応付けられて記憶管理される。
【０１１９】
図１９は、前記図１５におけるサーバクライアントシステムのサーバ装置５３，５３Ｗの電子ペーパーＩＤ管理部５８ｄにて記憶管理される電子ペーパー認証テーブル６３の内容を示す図である。
【０１２０】
この電子ペーパー認証テーブル６３には、前記電子下敷ＩＤ管理部５８ｃにて管理される各電子下敷１２Ｂ…毎に綴じられた電子ペーパー１１Ｂ…毎のペーパーＩＤとそのユーザＩＤ、当該電子ペーパー１１Ｂが綴じられた電子下敷１２ＢのＩＤ、そして当該電子ペーパー１１Ｂに対して予め使用許可された電子ペン１５のＩＤが対応付けられて記憶管理される。
【０１２１】
図２０は、前記第１実施形態（その１）の電子ペーパー記録装置１０Ａ，１０Ｂにおいて電子下敷１２Ａ，１２Ｂの情報記憶装置３０にて記憶管理される電子ペン機能テーブル６４の内容を示す図である。
【０１２２】
この電子ペン機能テーブル６４には、個々の電子ペン１５…それぞれのＩＤ、当該ペンＩＤの電子ペン１５による手書き入力に伴う手書き軌跡の表示色、同手書き軌跡の線幅が予め設定されて記憶管理される。
【０１２３】
次に、前記構成の第１実施形態の電子ペーパー記録装置１０Ａ，１０Ｂをシンクライアントシステムの端末として組み込んだ場合（図１１〜図２０参照）の動作について説明する。
【０１２４】
図２１は、前記第１実施形態（その１）の電子ペーパー記録装置１０Ａ，１０Ｂにおける電子下敷１２Ａ，１２Ｂでの処理を示すフローチャートである。
【０１２５】
図２２は、前記第１実施形態（その１）の電子ペーパー記録装置１０Ａ，１０Ｂにおける電子下敷処理に伴うアクティブ電子ペーパー検出処理を示すフローチャートである。
【０１２６】
図２３は、前記第１実施形態（その１）の電子ペーパー記録装置１０Ａ，１０Ｂを端末として組み込んだシンクライアントシステムにおけるサーバ装置５３でのサーバ処理を示すフローチャートである。
【０１２７】
図２４は、前記第１実施形態（その１）の電子ペーパー記録装置１０Ａ，１０Ｂを端末として組み込んだサーバ装置５３でのサーバ処理に伴う認証チェック処理を示すフローチャートである。
【０１２８】
電子ペーパー記録装置（両面タイプ）１０Ｂの電子下敷（両面タイプ）１２Ｂにおいて、電子ペーパー（両面タイプ）１１Ｂが装着されたことが、バインダー部１６における電磁誘導電源供給部３５Ｒ，３５Ｌおよび通信装置３７Ｒ，３７Ｌでの接続検出に応じて制御装置２８に判断されると（ステップＡ１（Ｙｅｓ））、図２２におけるアクティブ電子ペーパー検出処理に移行される（ステップＡＢ）。
【０１２９】
このアクティブ電子ペーパー検出処理が起動され、前記電子ペーパー（両面タイプ）１１Ｂの装着判断がなされると（ステップＢ１）、バインダー部１６の電磁誘導部における相互の通信装置３７Ｒ（３７Ｌ），２３を介して当該電子ペーパー１１Ｂの固有情報（図１３参照）がそのＩＤ記憶部２０から読み出されて取得されると共に（ステップＢ２）、重なり検出センサー２５Ｒ，２５Ｌからの重なり検出信号が取得され（ステップＢ３）、当該電子ペーパー１１Ｂの重なりの有無が判断される（ステップＢ４）。
【０１３０】
ここで、装着された電子ペーパー１１Ｂの表裏面何れか重なり検出信号によって重なり無しと判断されると（ステップＢ４（Ｙｅｓ））、同電子ペーパー１１Ｂのキャリブレーションポインタ２６ａ〜２６ｄから出力される当該電子ペーパー１１Ｂを示す電磁誘導信号がタブレット１４Ｒ，１４Ｌに位置検出されているか否かによってアクセス可能な状態にあるか検出され（ステップＢ５）、その電子ペーパー１１Ｂの表面（または裏面）がアクティブ（有効）であるか判別される（ステップＢ６）。
【０１３１】
そして、情報記憶装置３０にて記憶管理される電子ペーパー管理テーブル５４（図１２参照）が、前記ステップＢ２にて取得された装着電子ペーパー１１Ｂの固有情報、および前記ステップＢ３にて取得された重なり検出情報、および前記ステップＢ５，Ｂ６にて判別されたアクティブ（有効）ペーパー情報に応じて更新される（ステップＢ７）。
【０１３２】
こうして、電子下敷１２Ｂに電子ペーパー１１Ｂが装着されるのに伴いアクティブ（有効）な電子ペーパー１１Ｂが検出されると（ステップＡＢ）、当該アクティブ判別された電子ペーパー１１Ｂについてタブレット１４Ｒ（１４Ｌ）による前記キャリブレーションポインタ２６ａ〜２６ｄの位置検出座標に応じて当該タブレット１４Ｒ（１４Ｌ）によるその後の電子ペン１５での手書き検出位置とこれに伴うアクティブ電子ペーパー１１Ｂへの表示書き込み位置との座標補正量が計算取得される（ステップＡ２）。
【０１３３】
そして、これに伴いさらに更新された電子ペーパー管理テーブル５４（図１２参照）が情報記憶装置３０から読み出されて外部接続されたサーバ装置５３へ送信されると共に（ステップＡ３）、前記アクティブ判別された電子ペーパー１１ＢのペーパーＩＤ、ペーパー装着された電子下敷１２ＢのＩＤ記憶部２９から読み出される下敷ＩＤ、電子ペン機能テーブル６４（図２０参照）にて記憶管理される当該電子下敷１１Ｂにて使用可能な電子ペン１５のペンＩＤも同サーバ装置５３へログイン要求として送信され（ステップＡ４）、ログイン認証ＯＫか否か判断される（ステップＡ５）。
【０１３４】
サーバ装置５３におけるサーバ処理（図２３参照）において、前記電子下敷１２Ｂからのログイン要求が受信されたと判断されると（ステップＣ１）、図２４における認証チェック処理へ移行される（ステップＣＤ）。
【０１３５】
このサーバ装置５３における認証チェック処理では、まず前記端末である電子ペーパー記録装置１０Ｂの電子下敷１２Ｂからログイン要求と共に受信されたアクティブ判別された電子ペーパー１１ＢのペーパーＩＤ、当該電子下敷１２Ｂの下敷ＩＤ、同電子下敷１１Ｂにて使用可能な電子ペン１５のペンＩＤそれぞれについて、電子ペーパーＩＤ管理部５８ｄにて記憶管理されている電子ペーパー認証テーブル６３（図１９参照）に登録された電子ペーパーＩＤ・電子下敷ＩＤ・電子ペンＩＤと照合処理され（ステップＤ１）、照合ＯＫ（一致）か否か判断される（ステップＤ２）。
【０１３６】
ここで、前記電子ペーパー認証テーブル６３に従い電子ペーパーＩＤ・電子下敷ＩＤ・電子ペンＩＤの組み合わせついて照合ＯＫ（一致）と判断されると（ステップＤ２（Ｙｅｓ））、この照合ＯＫと判断された電子ペーパーＩＤ・電子下敷ＩＤ・電子ペンＩＤに対応付けられてユーザＩＤが未登録であるか登録済みであるかに応じて該ユーザＩＤの認証が必要か否か判断される（ステップＤ３）。
【０１３７】
前記照合ＯＫと判断された電子ペーパーＩＤ・電子下敷ＩＤ・電子ペンＩＤについてユーザＩＤが未登録であると判断されることで該ユーザＩＤの認証が必要であると判断されると（ステップＤ３（Ｙｅｓ））、前記電子下敷１２Ｂに対してユーザＩＤとパスワードの入力要求が送信されるのに応じて、アクティブ判別されている電子ペーパー１１Ｂの不揮発性表示装置１７に対し同入力要求が表示されてユーザＩＤの認証チェック処理が実行される（ステップＤ４）。
【０１３８】
ここで、電子ペーパー１１Ｂの入力装置２４Ｒ（２４Ｌ）によってユーザ入力されその不揮発性表示装置１７に表示されたユーザＩＤとパスワードが、電子下敷１２Ｂに通信転送されてサーバ装置５３へ送信され、該サーバ装置５３にて受信されると、クライアントＩＤ管理部５８ｂにて記憶管理されているユーザ認証テーブル６２（図１８参照）に登録されたユーザＩＤ・パスワードと照合処理され、認証ＯＫ（一致）か否か判断される（ステップＤ５）。
【０１３９】
前記ユーザ認証テーブル６２に従い前記ユーザ入力されたユーザＩＤ・パスワードの組み合わせついて認証ＯＫ（一致）と判断されると（ステップＤ５（Ｙｅｓ））、当該認証ＯＫと判断されたユーザＩＤが前記電子ペーパーＩＤ管理部５８ｄにて記憶管理されている電子ペーパー認証テーブル６３（図１９参照）の今回認証された電子ペーパーＩＤ・電子下敷ＩＤ・電子ペンＩＤに対応付けられてセット（登録）される（ステップＤ６）。
【０１４０】
ここで、電子ペーパー認証テーブル６３にユーザＩＤが新たにセット（登録）されたところの電子ペーパー１１Ｂについて、仮想ペーパークライアント５８ｅ（図１６・図１７参照）に未登録である新規のペーパークライアントであると判断されると（ステップＤ７（Ｙｅｓ））、当該仮想ペーパークライアント５８ｅに今回認証された電子下敷１２Ｂ・電子ペーパー１１Ｂの組み合わせに対応する仮想コンソール６１が生成されて更新される（ステップＤ８）。
【０１４１】
そして、仮想ペーパークライアント５８ｅにおける今回更新された電子下敷１２Ｂ（ＩＤ）・電子ペーパー１１Ｂ（ＩＤ）の組み合わせに対応付けて、当該アクティブ判別された電子ペーパー１１Ｂに初期画面として表示させるべきデフォルトデータが生成記憶される（ステップＤ９）。
【０１４２】
なお、前記ステップＤ２において、今回認証対象である電子ペーパーＩＤ・電子下敷ＩＤ・電子ペンＩＤの組み合わせついて照合ＮＧ（不一致）と判断された場合と、前記ステップＤ５において、ユーザ入力されたユーザＩＤ・パスワードの組み合わせついて認証ＮＧ（不一致）と判断された場合には、ログイン要求元の電子下敷１２Ｂに対して認証エラーが送信され（ステップＤ１０）、アクティブ判別されている電子ペーパー１１Ｂの不揮発性表示装置１７Ｒ（１７Ｌ）に対してエラーメッセージが表示される（ステップＡ５→Ａ１０）。
【０１４３】
こうした認証チェック処理での前記ステップＤ９において、仮想ペーパークライアント５８ｅ（図１６・図１７参照）における今回認証更新された電子下敷１２Ｂ（ＩＤ）・電子ペーパー１１Ｂ（ＩＤ）の組み合わせに対応付けられて、当該認証された電子ペーパー１１Ｂに表示させるべきデフォルトの初期画面データが生成記憶されると、その電子ペーパー１１Ｂの仮想コンソール６１では画面変化ありと判断され（ステップＣ２（Ｙｅｓ））、当該初期画面データがログイン要求元の電子下敷１２Ｂへ送信される（ステップＣ３）。
【０１４４】
電子下敷１２Ｂにおいて、前記サーバ装置５３での認証チェック処理（ステップＣＤ）に応じて認証ＯＫの信号が受信されたと判断されると共に（ステップＡ５（Ｙｅｓ））、前記サーバ処理（ステップＣ２，Ｃ３）に応じて送信された初期画面データが受信されたと判断されると（ステップＡ６（Ｙｅｓ））、この初期画面データはアクティブ判別された新規装着の電子ペーパー１１Ｂへ通信転送され、その不揮発性表示装置１７Ｒ（１７Ｌ）に表示される（ステップＡ７）。
【０１４５】
そして、前記アクティブな電子ペーパー１１Ｂの不揮発性表示装置１７Ｒ（１７Ｌ）による表示画面上で、ユーザによる電子ペン１５を使用した手書き入力が行われることで、対応する電子下敷１２Ｂのタブレット１４Ｒ（１４Ｌ）によりその入力位置が検出されるか、あるいは同電子ペーパー１１Ｂの入力装置２４Ｒ（２４Ｌ）にてユーザによるキー入力が行われることで、そのキー入力信号が電子下敷１２Ｂに対して通信転送されるか、あるいは同電子下敷１２Ｂの入力装置３１Ｒ（３１Ｌ）にてユーザによるキー入力が行われるかして、入力装操作ありと判断されると（ステップＡ８）、この入力操作データはサーバ装置５３へ送信される（ステップＡ９）。
【０１４６】
サーバ装置５３において、前記電子下敷１２Ｂから送信された電子ペンによる手書き入力の位置座標や入力キーの入力操作データが受信されると（ステップＣ４（Ｙｅｓ））、当該入力操作データの発信元に対応する電子ペーパー１１Ｂの仮想コンソール６１において、その入力操作データに応じて手書き入力の位置座標に対応した軌跡を表示する処理や入力キーの指示に従った処理が実行されて、処理の結果として画面データが生成される（ステップＣ５）。
【０１４７】
そして、これに伴い同電子ペーパー１１Ｂの仮想コンソール６１における画面データが書き替えられ表示中の画面データに対して画像変化ありと判断されると（ステップＣ２（Ｙｅｓ））、この画像変化後の画面データは前記電子下敷１２Ｂへ送信される（ステップＣ３）。
【０１４８】
すると、電子下敷１２Ｂでは、前記サーバ装置５３から受信された変化後の画面データが電子ペーパー１１Ｂへ通信転送され、その不揮発性表示装置１７Ｒ（１７Ｌ）に表示される（ステップＡ６→Ａ７）。
【０１４９】
すなわち、ユーザ入力操作が前記電子ペン１５による電子ペーパー１１Ｂ上での手書き入力操作である場合には、電子下敷１２Ｂのタブレット１４Ｒ（１４Ｌ）により検出された手書き位置の始点座標とその移動方向および距離からなるベクトルデータがサーバ装置５３へ送信されることで、サーバ装置５３では、当該電子ペーパー１１Ｂの仮想コンソール６１にて、その画面データに対し前記ベクトルデータに応じた手書きの軌跡が書き込まれ、この手書き軌跡の書き込み変化後の画面データが前記電子下敷１２Ｂへ送信されて電子ペーパー１１Ｂにて表示される。
【０１５０】
この場合、前記電子ペーパー１１Ｂの仮想コンソール６１における画面データへの手書きデータの書き込み位置は、前記電子下敷処理のステップＡ３にてサーバ装置５３へ送信転送された電子ペーパー管理テーブル５４に設定されている手書き検出位置とこれに伴うアクティブ電子ペーパー１１Ｂへの表示書き込み位置との座標補正量に従い位置ずれ補正されて書き込まれるので、電子下敷１２Ｂのタブレット１４Ｒ（１４Ｌ）に対するアクティブ電子ペーパー１１Ｂの載置位置にずれが生じていても、ユーザによる電子ペン１５での手書き位置に正しく対応してその手書き軌跡のデータが電子ペーパー１１Ｂにて表示されるようになる。
【０１５１】
また、前記ユーザ入力操作が電子ペーパー１１Ｂにて表示された画面データの内容に従い行われた入力装置２４Ｒ（２４Ｌ）におけるキー入力操作や電子ペン１５による画面位置指定の入力操作である場合には、そのキー入力データやタブレット１４Ｒ（１４Ｌ）にて検出された画面位置指定データがサーバ装置５３へ送信されることで、サーバ装置５３では、当該電子ペーパー１１Ｂの仮想コンソール６１にて、前記キー入力データや画面位置指定データに応じた処理が実行されてその画面データが更新され、この更新変化後の画面データが前記電子下敷１２Ｂへ送信されて電子ペーパー１１Ｂにて表示される。
【０１５２】
なお、サーバ装置５３において、ログイン中の何れかの端末である電子ペーパー記録装置１０Ｂ（１０Ａ）の電子下敷１２Ｂ（１２Ａ）からログアウト要求が受信された場合には（ステップＣ６（Ｙｅｓ））、当該ログアウト要求送信元の電子下敷１２Ｂ（１２Ａ）におけるアクティブ電子ペーパー１１Ｂの仮想コンソール６１についてログアウトの処理が実行される（ステップＣ７）。
【０１５３】
一方、前記電子下敷１２Ｂ（１２Ａ）に例えば複数枚装着されている電子ペーパー１１Ｂ（１１Ａ）…うちの何れかがそのバインダー部１６（１３）から外されたことが、電磁誘導電源供給部３５Ｒ，３５Ｌおよび通信装置３７Ｒ，３７Ｌでの接続遮断検出に応じて制御装置２８に判断されると（ステップＡ１１（Ｙｅｓ））、当該何れかの電子ペーパー１１Ｂ（１１Ａ）が外された状態で、改めてアクティブ電子ペーパーの検出処理が行われると共に（ステップＡＢ）、これにより新たにアクティブ判別された電子ペーパー１１Ｂ（１１Ａ）の手書き表示用座標位置の補正処理（ステップＡ２）、更新後の電子ペーパー管理テーブル５４のサーバ装置５３への送信処理（ステップＡ３）、当該アクティブ判別された電子ペーパーＩＤ・電子下敷ＩＤ・電子ペンＩＤのログイン要求を伴う同サーバ装置５３への送信処理（ステップＡ４）が、前記同様に実行されて認証ＯＫか判断される（ステップＡ５）。
【０１５４】
この際、サーバ装置５３における認証チェック処理（ステップＣＤ）（図２４参照）では、今回アクティブ判別された電子ペーパー１１Ｂ（１１Ａ）が以前に既に認証済みである場合、ユーザＩＤの認証必要無し（ステップＤ３（Ｎｏ））、新規の電子ペーパークライアントではない（ステップＤ７（Ｎｏ））、と判断されてこの認証チェック処理が終了され、電子下敷１２Ｂでは認証ＯＫと判断される（ステップＡ５（Ｙｅｓ））。
【０１５５】
これにより、改めてアクティブ判別された電子ペーパー１１Ｂ（１１Ａ）について、電子下敷１２Ｂ（１２Ａ）からの入力操作データの送信（ステップＡ８→Ａ９）に応じたサーバ装置５３での該当仮想ペーパークライアント５８ｅにおける処理（ステップＣ４→Ｃ５）が実行され、これに伴い画面データに変化が生じた場合にはその変化後の画面データが電子下敷１２Ｂ（１２Ａ）へ送信され（ステップＣ２→Ｃ３）、電子ペーパー１１Ｂ（１１Ａ）の不揮発性表示装置１７Ｒ（１７Ｌ）に対して表示更新される（ステップＡ６→Ａ７）。
【０１５６】
したがって、前記構成の第１実施形態の電子ペーパー記録装置１０Ａ（１０Ｂ）によれば、略全面に不揮発性表示装置１７（１７Ｒ，１７Ｌ）の表示画面を有する電子ペーパー１１Ａ（１１Ｂ）を、バッテリー電源３８を有する電子下敷１２Ａ（１２Ｂ）の表面に設けられたタブレット１４（１４Ｒ，１４Ｌ）上に装着し、バインダー部１３（１６）によって綴じると、当該バインダー部１３（１６）の綴じ込み構造に対応して設けられた電磁誘導部を介して電子下敷１２Ａ（１２Ｂ）から電子ペーパー１１Ａ（１１Ｂ）への電源供給ならびに相互の通信接続がなされる。そして、前記電子ペーパー１１Ａ（１１Ｂ）の表示画面（１７Ｒ，１７Ｌ）上で電子ペン１５により手書き入力操作を行うと、当該ペン入力位置が前記電子ペーパー１１Ａ（１１Ｂ）を重ねた電子下敷１２Ａ（１２Ｂ）のタブレット１４（１４Ｒ，１４Ｌ）にて座標検出され、そのペン入力位置の座標軌跡に応じたベクトルデータが表示データとして電子ペーパー１１Ａ（１１Ｂ）へ通信転送され、不揮発性表示装置１７（１７Ｒ，１７Ｌ）の表示画面に表示されるので、電子下敷１２Ａ（１２Ｂ）の外部接続装置３３を介して外部の情報機器から入力された表示データを前記電子ペーパー１１Ａ（１１Ｂ）にて表示できるだけでなく、電子ペン１５によって直接的に書き込んだ手書きデータをも表示させることができ、しかもその電子ペーパー１１Ａ（１１Ｂ）を電子下敷１２Ａ（１２Ｂ）に着脱自在にすることで、通常の紙と同じように情報表記したり任意に書き込んだり消したりして取り扱うことができる。
【０１５７】
また、前記構成の第１実施形態の電子ペーパー記録装置１０Ａ（１０Ｂ）によれば、電子ペーパー１１Ａ（１１Ｂ）の不揮発性表示装置１７（１７Ｒ，１７Ｌ）の画面４角に対応して設けられたキャリブレーションポインタ２６ａ〜２６ｄからの電磁誘導信号を電子下敷１２Ａ（１２Ｂ）のタブレット１４（１４Ｒ，１４Ｌ）により検出することで、当該電子ペーパー１１Ａ（１１Ｂ）が下敷面に装着された状態であることを判断すると共に、各電子ペーパー１１Ａ（１１Ｂ）…の表面に設けられた重なり検出センサー２５（２５Ｒ，２５Ｌ）での受光の有無を検出することで、前記下敷面に複数枚重ねて装着された電子ペーパー１１Ａ（１１Ｂ）…のうちの最上頁に位置する電子ペーパー１１Ａ（１１Ｂ）を判断するので、電子下敷１２Ａ（１２Ｂ）に対する複数枚の電子ペーパー１１Ａ（１１Ｂ）の装着／取り外しがあっても、当該電子下敷１２Ａ（１２Ｂ）上でデータの書き込み・表示に有効（アクティブ）な電子ペーパー１１Ａ（１１Ｂ）を常に容易に判別することができる。
【０１５８】
また、前記構成の第１実施形態の電子ペーパー記録装置１０Ａ（１０Ｂ）によれば、電子下敷１２Ａ（１２Ｂ）のタブレット１４（１４Ｒ，１４Ｌ）により検出された電子ペーパー１１Ａ（１１Ｂ）のキャリブレーションポインタ２６ａ〜２６ｄの位置の規定位置からのずれ量に応じて、同タブレット１４（１４Ｒ，１４Ｌ）により検出される電子ペン１５での手書き位置に応じた電子ペーパー１１Ａ（１１Ｂ）への表示位置を補正するので、電子下敷１２Ａ（１２Ｂ）のバインダー部１３（１６）に綴じられた個々の電子ペーパー１１Ａ（１２Ｂ）…にタブレット１４（１４Ｒ，１４Ｌ）に対する位置ずれが生じていても、電子ペン１５による手書き位置に正しく対応して電子ペーパー１１Ａ（１２Ｂ）に対する書き込み表示を行うことができる。
【０１５９】
また、前記構成の第１実施形態の電子ペーパー記録装置１０Ａ（１０Ｂ）によれば、各電子ペーパー１１Ａ（１１Ｂ）…にはそれぞれ異なるペーパーＩＤを記憶させて識別管理するので、前記有効（アクティブ）判別された電子ペーパー１１Ａ（１１Ｂ）を、当該ペーパーＩＤをアクセス情報に付加して使用することで常に正確に識別してデータの書き込み・表示処理を行うことができる。
【０１６０】
さらに、前記構成の第１実施形態の電子ペーパー記録装置１０Ａ（１０Ｂ）をシンクライアントシステムの端末として組み込み、前記有効（アクティブ）判別された電子ペーパー１１Ａ（１１Ｂ）でサーバ装置５３へログインすることで、高機能端末を要さずデータ保護の安全性も確保した所謂電子ペーパークライアントを実現できる。
【０１６１】
なお、前記第１実施形態の電子ペーパー記録装置１０Ａ（１０Ｂ）では、電子下敷１２Ａ（１２Ｂ）に綴じられた電子ペーパー１１Ａ（１１Ｂ）上での電子ペン１５による手書き位置を、当該電子ペーパー１１Ａ（１１Ｂ）が重ね置きされる電子下敷１２Ａ（１２Ｂ）上のタブレット１４（１４Ｒ，１４Ｌ）により座標検出する構成としたが、当該タブレット１４（１４Ｒ，１４Ｌ）に替えて、図２５に示すように、電子下敷１２Ａ（１２Ｂ）のバインダー部１３ａに超音波方式のデジタイザ６５を内蔵させ、当該電子下敷１２Ａ（１２Ｂ）に装着した電子ペーパー１１Ａ（１１Ｂ）の表面上にて手書き操作される電子ペン１５での手書き位置や同電子ペーパー１１Ａ（１１Ｂ）に内蔵されたキャリブレーションポインタ２６ａ〜２６ｄの配設位置を、そのデジタイザ６５によって座標検出し、前記第１実施形態同様に有効（アクティブ）判別された電子ペーパー１１Ａ（１１Ｂ）へのデータの書き込み・表示処理を行う構成としてもよい。
【０１６２】
図２５は、本発明の第１実施形態（その２）に係る電子ペーパー記録装置（片面タイプ）１０Ａの構成を示す図であり、同図（Ａ）は外観構成を示す斜視図、同図（Ｂ）は１枚の電子ペーパー（片面タイプ）１１Ａを抜き出して示す正面図である。
【０１６３】
また、前記第１実施形態の電子ペーパー記録装置１０Ａ（１０Ｂ）では、電子ペーパー１１Ａ（１１Ｂ）に対して書き込み・表示を行う際には、当該電子ペーパー１１Ａ（１１Ｂ）を電子下敷１２Ａ（１２Ｂ）のバインダー部１３（１６）に綴じることで、当該バインダー部１３（１６）に設けられた電磁誘導部を介して電源供給ならびに通信接続を行い表示データの書き込みを行う構成としたが、図２６に示すように、下敷部を持たずに電源部（バッテリー）３８を内蔵したバインダー部１３ｂに、前記同様の電磁誘導部（３５，３７）ならびに制御装置２８を中心とする電子回路部（２８〜３３）を内蔵させ、例えばブルートゥースにより外部接続される携帯通信情報機器６６での入力操作に応じて電子ペーパー１１Ａに対するデータの入力・表示・編集処理を行ったり、あるいは当該携帯通信情報機器６６を介してシンクライアントシステムのサーバ装置５３と通信接続することにより各種データの入力・表示・編集処理を行ったりする構成としてもよい。
【０１６４】
図２６は、本発明の第１実施形態（その３）に係る電子ペーパー記録装置（片面タイプ）１０Ａの構成を示す図であり、同図（Ａ）は携帯通信情報機器６６と近距離無線接続可能な電源内蔵バインダー部１３ｂの外観構成を示す斜視図、同図（Ｂ）は当該バインダー部１３ｂにより綴じられた電子ペーパー（片面タイプ）１１Ａ…の外観構成を示す斜視図である。
【０１６５】
なお、前記図２６における第１実施形態（その３）で説明した電源内蔵バインダー部１３ｂの電源部（バッテリー）３８に替えて、当該バインダー部１３ｂに有線接続される携帯通信情報機器６６から電源供給を行い、前記同様のデータの入力・表示・編集処理を行う構成としてもよい。
【０１６６】
さらに、前記図１〜図２５を参照して説明した電子下敷１２Ａ（１２Ｂ）を有する電子ペーパー記録装置１０Ａ（１０Ｂ）において、ネットワーク上のサーバ装置５３との接続処理は、当該電子下敷１２Ａ（１２Ｂ）に外部接続して使用する携帯通信情報機器６６（図２６参照）の側で行わせる構成としてもよい。
【０１６７】
図２７は、本発明の第１実施形態（その４）に係る電子ペーパー記録装置（両面タイプ）１０Ｂの外観構成を示す正面図である。
【０１６８】
この第１実施形態（その４）に係る電子ペーパー記録装置（両面タイプ）１０Ｂでは、例えば電子下敷１２Ｂの右面に装着されている電子ペーパー１１Ｂ表面の不揮発性表示装置１７Ｒに対して、電子下敷１２Ｂの情報記憶装置３０に予め記憶されたソフトキー処理プログラムに従いソフトキーボード６７を表示させる。そして、この表示されたソフトキーボード６７におけるタッチ操作位置を電子下敷１２Ｂのタブレット１４Ｒにより検出してタッチされたキーの内容を認識することで、当該キー操作に応じた処理を電子下敷１２Ｂの制御装置２８あるいは外部接続されたサーバ装置５３において実行し、その表示データを電子下敷１２Ｂの左面に装着されている電子ペーパー１１Ｂ裏面の不揮発性表示装置１７Ｌに表示させて、あたかもＰＣ（パーソナルコンピュータ）端末を使用しているかの如く構成してもよい。
【０１６９】
さらに、前記図２７を参照して説明したソフトキーボード６７ではなく、図２８に示すように、フルキーボード６８を印刷したペーパー型キーボード１１ＡＫを前記実施形態同様に電子下敷１２Ｂに装着して電磁誘導により電源供給ならび通信接続可能な構成とし、このペーパー型キーボード１１ＡＫの単独でキー操作信号を出力させることで、当該キー操作信号に応じた処理を電子下敷１２Ｂの制御装置２８あるいは外部接続されたサーバ装置５３において実行し、その表示データを電子下敷１２Ｂのもう一方の面に装着されている電子ペーパー１１Ｂの不揮発性表示装置１７Ｌ（１７Ｒ）に表示させて、ＰＣ（パーソナルコンピュータ）端末として使用してもよい。
【０１７０】
図２８は、本発明の第１実施形態（その５）に係る電子ペーパー記録装置（両面タイプ）１０Ｂで電子下敷１２Ｂに装着して使用するペーパー型キーボード１１ＡＫの外観構成を示す正面図である。
【０１７１】
なお、前記第１実施形態の電子ペーパー記録装置１０Ａ，１０Ｂにおいて、電子ペーパー１１Ａ（１１Ｂ）上でのユーザ操作に伴うタッチ入力位置を検出するための座標検出手段は、前述した電磁誘導方式のタブレット１４（１４Ｒ，１４Ｌ）や超音波方式のデジタイザ６５の他に、抵抗膜方式の感圧式タブレットや光方式、静電容量方式などを用いたものでもよい。
【０１７２】
また、電子ペーパー１１Ａ（１１Ｂ）と電子下敷１２Ａ（１２Ｂ）との間での無線接続手段は、前述した電磁誘導方式の他に、電波方式などを用いたものでもよい。
【０１７３】
さらに、前記第１実施形態の電子ペーパー記録装置１０Ａ，１０Ｂでは、電子下敷１２Ａ（１２Ｂ）に設けられたタブレット１４（１４Ｒ，１４Ｌ）あるいはバインダー部１３（１６）に内蔵させたデジタイザ６５によって、アクティブ（有効）な電子ペーパー１１Ａ（１１Ｂ）に対するタッチ入力位置を検出する構成としたが、次の第２実施形態で説明する電子ペーパー記録装置１０Ａ′，１０Ｂ′のように、不揮発性表示装置１７（１７Ｒ，１７Ｌ）の表示画面にタブレット１４Ｔを重ねて内蔵一体にした電子ペーパー１１Ａ′（１１Ｂ′）として構成してもよい。
【０１７４】
（第２実施形態）
図２９は、本発明の第２実施形態に係る電子ペーパー記録装置１０Ａ′，１０Ｂ′における電子ペーパー１１Ａ′，１１Ｂ′の構成を示す図であり、同図（Ａ）は電子ペーパー（片面タイプ）１１Ａ′を表側から見て示す構成図、同図（Ｂ）は電子ペーパー（両面タイプ）１１Ｂ′を裏側から見て示す構成図である。
【０１７５】
図３０は、前記第２実施形態の電子ペーパー記録装置１０Ａ′，１０Ｂ′における電子下敷１２Ａ′，１２Ｂ′の構成を示す図であり、同図（Ａ）は電子下敷（片面タイプ）１２Ａ′を正面から見て示す構成図、同図（Ｂ）は見開き型電子下敷１２Ｂ′の左面を見て示す構成図、同図（Ｃ）は電子下敷１２Ａ′，１２Ｂ′（右面）の縦断面構成図である。
【０１７６】
この図２９、図３０に示す第２実施形態の電子ペーパー記録装置１０Ａ′，１０Ｂ′における電子ペーパー１１Ａ′，１１Ｂ′とその電子下敷１２Ａ′，１２Ｂ′において、前記図３、図４で示した第１実施形態の電子ペーパー記録装置１０Ａ，１０Ｂにおける電子ペーパー１１Ａ，１１Ｂとその電子下敷１２Ａ，１２Ｂとの同一の構成部分については、それと同一の符号を付してその説明を省略する。
【０１７７】
すなわち、この第２実施形態の電子ペーパー記録装置１０Ａ′，１０Ｂ′における電子ペーパー１１Ａ′，１１Ｂ′のように、不揮発性表示装置１７（１７Ｒ，１７Ｌ）の表示画面にタブレット１４Ｔを重ねて内蔵一体にした構成とすることで、当該電子ペーパー１１Ａ′，１１Ｂ′における不揮発性表示装置１７（１７Ｒ，１７Ｌ）の表示画面上でのタッチ入力操作位置を直に座標検出することができ、手書き入力に伴う不揮発性表示装置１７（１７Ｒ，１７Ｌ）への書き込み表示を行うことができる。
【０１７８】
この場合、個々の電子ペーパー１１Ａ′，１１Ｂ′…それぞれにタブレット１４Ｔを内蔵させるので、ペーパー１１Ａ′，１１Ｂ′自体の薄さが若干損なわれ、またその単価も上昇するものの、前記第１実施形態の電子ペーパー記録装置１０Ａ，１０Ｂでは必要とした電子下敷１２Ａ，１２Ｂにおけるタブレット１４やキャリブレーションポインタ２６ａ〜２６ｄによる位置ずれ検出とその補正処理が不要になり、手書き入力位置により正確な書き込み表示を行うことができる。
【０１７９】
図３１は、前記第２実施形態の電子ペーパー記録装置１０Ａ′，１０Ｂ′における電子下敷１２Ａ′，１２Ｂ′に綴じ込み載置されその接触型表示Ｉ／Ｆ（インターフェイス）３２に対して接続使用される表示装置４５′の構成を示す正面図である。
【０１８０】
この図３１に示す第２実施形態の電子ペーパー記録装置１０Ａ′，１０Ｂ′における表示装置４５′において、前記図１０で示した第１実施形態の電子ペーパー記録装置１０Ａ，１０Ｂにおける表示装置４５と同一の構成部分については、それと同一の符号を付してその説明を省略する。
【０１８１】
すなわち、この第２実施形態の電子ペーパー記録装置１０Ａ′，１０Ｂ′における表示装置４５′のように、ＬＣＤ表示装置４６にタブレット１４Ｔを重ねて内蔵一体にした構成とすることで、当該ＬＣＤ表示装置４６の表示画面上でのタッチ入力操作位置を直に座標検出することができ、手書き入力に伴うＬＣＤ表示装置４６への書き込み表示を行うことができる。
【０１８２】
図３２は、前記第２実施形態の電子ペーパー記録装置１０Ａ′，１０Ｂ′をシンクライアント（サーバベースコンピューティング）システムの端末として組み込んだ場合の電子回路の構成を示すブロック図である。
【０１８３】
この図３２に示す第２実施形態の電子ペーパー記録装置１０Ａ′，１０Ｂ′をシンクライアント（サーバベースコンピューティング）システムの端末として組み込んだ場合の電子回路において、前記図１１で示した第１実施形態の電子ペーパー記録装置１０Ａ，１０Ｂにおける電子回路と同一の構成部分については、それと同一の符号を付してその説明を省略する。
【０１８４】
すなわち、この第２実施形態の電子ペーパー記録装置１０Ａ′，１０Ｂ′をシンクライアント（サーバベースコンピューティング）システムの端末として組み込んだ場合の電子回路では、第１実施形態の電子ペーパー記録装置１０Ａ，１０Ｂにおける電子回路と比較して、電子下敷１２Ｂ′（１２Ａ′）の制御装置２８に接続されたタブレット１４Ｒ，１４Ｌ（１４）が必要なく、電子ペーパー１１Ａ′（１１Ｂ′）の制御装置１９にタブレット１４Ｔが接続された点、およびこれに伴い当該電子ペーパー１１Ａ′（１１Ｂ′）の装着位置を検出するためのキャリブレーションポインタ２６ａ〜２６ｄが必要ない点で異なる。
【０１８５】
図３３は、前記第２実施形態の電子ペーパー記録装置１０Ａ′，１０Ｂ′をシンクライアント（サーバベースコンピューティング）システムの端末として組み込んだ場合において、電子下敷１２Ｂ′（１２Ａ′）上に表示装置４５′だけを接続した状態での電子回路の構成を示すブロック図である。
【０１８６】
この図３３に示す第２実施形態の電子ペーパー記録装置１０Ａ′，１０Ｂ′をシンクライアント（サーバベースコンピューティング）システムの端末として組み込み表示装置４５′だけを接続した状態での電子回路において、前記図１４で示した第１実施形態の電子ペーパー記録装置１０Ａ，１０Ｂにおける表示装置４５を接続した状態での電子回路と同一の構成部分については、それと同一の符号を付してその説明を省略する。
【０１８７】
これによれば、第１実施形態の電子ペーパー記録装置１０Ａ，１０Ｂにおける表示装置４５を接続した状態での電子回路と比較して、電子下敷１２Ｂ′（１２Ａ′）の制御装置２８に接続されたタブレット１４Ｒ，１４Ｌ（１４）が必要なく、表示装置４５′の制御装置４８にタブレット１４Ｔが接続された点、およびこれに伴い当該表示装置４５′の装着位置を検出するためのキャリブレーションポインタ２６ａ〜２６ｄが必要ない点で異なる。
【０１８８】
そして、前記構成の第２実施形態の電子ペーパー記録装置１０Ａ′，１０Ｂ′をシンクライアントシステムの端末として組み込んだ場合（図２９〜図３３参照）の動作については、電子ペーパー１１Ａ′，１１Ｂ′上で行われる電子ペン１５による手書き入力位置の座標検出処理が当該電子ペーパー１１Ａ′，１１Ｂ′内のタブレット１４Ｔでの検出動作に基づき実行される点で異なり、またキャリブレーションポインタ２６ａ〜２６ｄによるペーパー装着位置の検出処理とこれに伴う表示位置の補正処理が省略される点で異なる。それ以外の動作については、前記図２１〜図２４のフローチャートに従い説明した動作処理と略同様であるためその説明を省略する。
【０１８９】
したがって、前記構成の第２実施形態の電子ペーパー記録装置１０Ａ′（１０Ｂ′）によれば、略全面に不揮発性表示装置１７（１７Ｒ，１７Ｌ）の表示画面を有する電子ペーパー１１Ａ′（１１Ｂ′）を、バッテリー電源３８を有する電子下敷１２Ａ′（１２Ｂ′）に装着し、バインダー部１３（１６）によって綴じると、当該バインダー部１３（１６）の綴じ込み構造に対応して設けられた電磁誘導部を介して電子下敷１２Ａ′（１２Ｂ′）から電子ペーパー１１Ａ′（１１Ｂ′）への電源供給ならびに相互の通信接続がなされる。そして、前記電子ペーパー１１Ａ′（１１Ｂ′）の表示画面（１７Ｒ，１７Ｌ）上で電子ペン１５により手書き入力操作を行うと、当該ペン入力位置が表示画面（１７Ｒ，１７Ｌ）に一体に重ねたタブレット１４Ｔにて座標検出され、そのペン入力位置の座標軌跡に応じたベクトルデータが表示データとして同不揮発性の表示画面（１７Ｒ，１７Ｌ）に表示されるので、電子下敷１２Ａ′（１２Ｂ′）の外部接続装置３３を介して外部の情報機器から入力された表示データを前記電子ペーパー１１Ａ′（１１Ｂ′）にて表示できるだけでなく、電子ペン１５によって直接的に書き込んだ手書きデータをも表示させることができ、しかもその電子ペーパー１１Ａ′（１１Ｂ′）を電子下敷１２Ａ′（１２Ｂ′）に着脱自在にすることで、通常の紙と同じように情報表記したり任意に書き込んだり消したりして取り扱うことができる。
【０１９０】
また、本願発明の各実施形態において、電子ペーパーとペーパー装着部との通信手段は無線となっているが、接触型の通信手段を用いてもよい。
【０１９１】
また、本願発明の各実施形態において、電子ペーパーのサイズ情報を予め電子ペーパーに記憶しておくようにしているが、電子ペーパーに記憶されているキャリブレーションポインタの位置情報を電子ペーパーのサイズ情報として用いるようにしてもよい。
【０１９２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１９３】
【図１】本発明の第１実施形態（その１）に係る電子ペーパー記録装置（片面タイプ）１０Ａの構成を示す図であり、同図（Ａ）は外観構成を示す斜視図、同図（Ｂ）は１枚の電子ペーパー（片面タイプ）１１Ａを抜き出して示す正面図。
【図２】本発明の第１実施形態（その１）に係る電子ペーパー記録装置（両面タイプ）１０Ｂの構成を示す図であり、同図（Ａ）は外観構成を示す斜視図、同図（Ｂ）は１枚の電子ペーパー（両面タイプ）１１Ｂを抜き出し裏面にして示す正面図。
【図３】前記第１実施形態（その１）の電子ペーパー記録装置１０Ａ，１０Ｂにおける電子ペーパー１１Ａ，１１Ｂの構成を示す図であり、同図（Ａ）は電子ペーパー（片面タイプ）１１Ａを表側から見て示す構成図、同図（Ｂ）は電子ペーパー（両面タイプ）１１Ｂを裏側から見て示す構成図。
【図４】前記第１実施形態（その１）の電子ペーパー記録装置１０Ａ，１０Ｂにおける電子下敷１２Ａ，１２Ｂの構成を示す図であり、同図（Ａ）は電子下敷（片面タイプ）１２Ａを正面から見て示す構成図、同図（Ｂ）は見開き型電子下敷１２Ｂの左面を見て示す構成図、同図（Ｃ）は電子下敷１２Ａ，１２Ｂ（右面）の縦断面構成図。
【図５】前記第１実施形態（その１）の電子ペーパー記録装置１０Ａ，１０Ｂにおいて電子下敷１２Ａ，１２Ｂのバインダー部１３，１６に対応させて設けた電子ペーパー１１Ａ，１１Ｂへの電源供給と通信接続を行うための電磁誘導部（平面タイプ）の構成を示す図。
【図６】前記第１実施形態（その１）の電子ペーパー記録装置１０Ａ，１０Ｂにおいて電子下敷１２Ａ，１２Ｂのバインダー部１３，１６に対応させて設けた電子ペーパー１１Ａ，１１Ｂへの電源供給と通信接続を行うための電磁誘導部（凸面タイプ）の構成を示す図。
【図７】前記第１実施形態（その１）の電子ペーパー記録装置１０Ａ，１０Ｂの電磁誘導部において電子ペーパー（片面タイプ）１１Ａ…の綴じ込み部１８にペーパー内コア４０…を設けた場合と設けない場合とで磁束ループＢの形成状態を対比して示す図。
【図８】前記第１実施形態（その１）の電子ペーパー記録装置１０Ａ，１０Ｂにおける電子ペーパー１１Ａ（１１Ｂ）のキャリブレーションポインタ２６ａ〜２６ｄと電子下敷１２Ａ（１２Ｂ）のタブレット１４との位置関係を示す図。
【図９】前記電子ペーパー記録装置（両面タイプ）１０Ｂの電子下敷（両面タイプ）１２Ｂに対して異なるサイズを含む複数枚の電子ペーパー（両面タイプ）１１Ｂ（Ａ〜Ｅ）を綴じ込んだ場合の有効な電子ペーパーの判別機能を説明する図であり、同図（Ａ）は複数枚の電子ペーパー（両面タイプ）１１Ｂ（Ａ〜Ｅ）の電子下敷（両面タイプ）１２Ｂに対する閉じ開き状態を示す図、同図（Ｂ）は有効電子ペーパーの判別テーブルを示す図。
【図１０】前記第１実施形態（その１）の電子ペーパー記録装置１０Ａ，１０Ｂにおける電子下敷１２Ａ，１２Ｂに綴じ込み載置されその接触型表示Ｉ／Ｆ（インターフェイス）３２に対して接続使用される表示装置４５の構成を示す正面図。
【図１１】前記第１実施形態（その１）の電子ペーパー記録装置１０Ａ，１０Ｂをシンクライアント（サーバベースコンピューティング）システムの端末として組み込んだ場合の電子回路の構成を示すブロック図。
【図１２】前記第１実施形態（その１）の電子ペーパー記録装置１０Ａ，１０Ｂの電子下敷１２Ｂ（１２Ａ）の情報記憶装置３０にて記憶管理される電子ペーパー管理テーブル５４の内容を示す図。
【図１３】前記第１実施形態（その１）の電子ペーパー記録装置１０Ａ，１０Ｂにおける各電子ペーパー１１Ａ（１１Ｂ）…のＩＤ記憶部２０に記憶された電子ペーパー固有情報５５を示す図。
【図１４】前記第１実施形態（その１）の電子ペーパー記録装置１０Ａ，１０Ｂをシンクライアント（サーバベースコンピューティング）システムの端末として組み込んだ場合において、電子下敷１２Ｂ（１２Ａ）上に表示装置４５だけを接続した状態での電子回路の構成を示すブロック図。
【図１５】前記第１実施形態（その１）の電子ペーパー記録装置１０Ｂを端末としネットワーク上のサーバ装置へ接続して使用する場合の構成例を示すブロック図であり、同図（Ａ）はシンクライアントシステムのサーバ装置５３に接続しリモートアクセスベースで使用する場合を示す図、同図（Ｂ）はインターネットシステムのサーバ装置５３Ｗに接続しウェブアクセスベースで使用する場合を示す図。
【図１６】前記第１実施形態（その１）の電子ペーパー記録装置１０Ｂをシンクライアントシステムの端末として使用する場合にそのサーバ装置５３にて生成される仮想ペーパークライアント５８ｅ…の構成を示す図。
【図１７】前記第１実施形態（その１）の電子ペーパー記録装置１０Ｂをシンクライアントシステムの端末として使用した場合にそのサーバ装置５３にて生成された仮想ペーパークライアント５８ｅ…にて記憶管理される基本情報を示す図。
【図１８】前記図１５におけるサーバクライアントシステムのサーバ装置５３，５３ＷのクライアントＩＤ管理部５８ｂにて記憶管理されるユーザ認証テーブル６２の内容を示す図。
【図１９】前記図１５におけるサーバクライアントシステムのサーバ装置５３，５３Ｗの電子ペーパーＩＤ管理部５８ｄにて記憶管理される電子ペーパー認証テーブル６３の内容を示す図。
【図２０】前記第１実施形態（その１）の電子ペーパー記録装置１０Ａ，１０Ｂにおいて電子下敷１２Ａ，１２Ｂの情報記憶装置３０にて記憶管理される電子ペン機能テーブル６４の内容を示す図。
【図２１】前記第１実施形態（その１）の電子ペーパー記録装置１０Ａ，１０Ｂにおける電子下敷１２Ａ，１２Ｂでの処理を示すフローチャート。
【図２２】前記第１実施形態（その１）の電子ペーパー記録装置１０Ａ，１０Ｂにおける電子下敷処理に伴うアクティブ電子ペーパー検出処理を示すフローチャート。
【図２３】前記第１実施形態（その１）の電子ペーパー記録装置１０Ａ，１０Ｂを端末として組み込んだシンクライアントシステムにおけるサーバ装置５３でのサーバ処理を示すフローチャート。
【図２４】前記第１実施形態（その１）の電子ペーパー記録装置１０Ａ，１０Ｂを端末として組み込んだサーバ装置５３でのサーバ処理に伴う認証チェック処理を示すフローチャート。
【図２５】本発明の第１実施形態（その２）に係る電子ペーパー記録装置（片面タイプ）１０Ａの構成を示す図であり、同図（Ａ）は外観構成を示す斜視図、同図（Ｂ）は１枚の電子ペーパー（片面タイプ）１１Ａを抜き出して示す正面図。
【図２６】本発明の第１実施形態（その３）に係る電子ペーパー記録装置（片面タイプ）１０Ａの構成を示す図であり、同図（Ａ）は携帯通信情報機器６６と近距離無線接続可能な電源内蔵バインダー部１３ｂの外観構成を示す斜視図、同図（Ｂ）は当該バインダー部１３ｂにより綴じられた電子ペーパー（片面タイプ）１１Ａ…の外観構成を示す斜視図。
【図２７】本発明の第１実施形態（その４）に係る電子ペーパー記録装置（両面タイプ）１０Ｂの外観構成を示す正面図。
【図２８】本発明の第１実施形態（その５）に係る電子ペーパー記録装置（両面タイプ）１０Ｂで電子下敷１２Ｂに装着して使用するペーパー型キーボード１１ＡＫの外観構成を示す正面図。
【図２９】本発明の第２実施形態に係る電子ペーパー記録装置１０Ａ′，１０Ｂ′における電子ペーパー１１Ａ′，１１Ｂ′の構成を示す図であり、同図（Ａ）は電子ペーパー（片面タイプ）１１Ａ′を表側から見て示す構成図、同図（Ｂ）は電子ペーパー（両面タイプ）１１Ｂ′を裏側から見て示す構成図。
【図３０】前記第２実施形態の電子ペーパー記録装置１０Ａ′，１０Ｂ′における電子下敷１２Ａ′，１２Ｂ′の構成を示す図であり、同図（Ａ）は電子下敷（片面タイプ）１２Ａ′を正面から見て示す構成図、同図（Ｂ）は見開き型電子下敷１２Ｂ′の左面を見て示す構成図、同図（Ｃ）は電子下敷１２Ａ′，１２Ｂ′（右面）の縦断面構成図。
【図３１】前記第２実施形態の電子ペーパー記録装置１０Ａ′，１０Ｂ′における電子下敷１２Ａ′，１２Ｂ′に綴じ込み載置されその接触型表示Ｉ／Ｆ（インターフェイス）３２に対して接続使用される表示装置４５′の構成を示す正面図。
【図３２】前記第２実施形態の電子ペーパー記録装置１０Ａ′，１０Ｂ′をシンクライアント（サーバベースコンピューティング）システムの端末として組み込んだ場合の電子回路の構成を示すブロック図。
【図３３】前記第２実施形態の電子ペーパー記録装置１０Ａ′，１０Ｂ′をシンクライアント（サーバベースコンピューティング）システムの端末として組み込んだ場合において、電子下敷１２Ｂ′（１２Ａ′）上に表示装置４５′だけを接続した状態での電子回路の構成を示すブロック図。
【符号の説明】
【０１９４】
１０Ａ…第１実施形態の電子ペーパー記録装置（片面タイプ）
１０Ｂ…第１実施形態の電子ペーパー記録装置（両面タイプ）
１１Ａ…第１実施形態の電子ペーパー（片面タイプ）
１１Ａ′…第２実施形態の電子ペーパー（片面タイプ）
１１Ｂ…第１実施形態の電子ペーパー（両面タイプ）
１１Ｂ′…第２実施形態の電子ペーパー（両面タイプ）
１１ＡＫ…ペーパー型キーボード
１２Ａ…第１実施形態の電子下敷（片面タイプ）
１２Ａ′…第２実施形態の電子下敷（片面タイプ）
１２Ｂ…第１実施形態の電子下敷（見開きタイプ）
１２Ｂ′…第２実施形態の電子下敷（見開きタイプ）
１３  …片面バインダー部
１３ａ…デジタイザ内蔵バインダー部
１３ｂ…電源内蔵バインダー部
１４（１４Ｒ，１４Ｌ）…タブレット
１４Ｔ…第２実施形態のタブレット
１５  …電子ペン
１６  …見開きバインダー部
１６ａ，１６ｂ…バインダー用貫通孔
１７（１７Ｒ，１７Ｌ）…不揮発性表示装置
１８，２７，４７…電子ペーパー綴じ込み部
１９  …電子ペーパー制御装置
２０  …電子ペーパーＩＤ記憶部
２１  …電子ペーパー情報記憶装置
２２  …電磁誘導電源部
２３  …電子ペーパー通信装置
２４（２４Ｒ，２４Ｌ）…電子ペーパー入力装置
２５（２５Ｒ，２５Ｌ）…重なり検出センサー
２６ａ〜２６ｄ…キャリブレーションポインタ
２８  …電子下敷制御装置
２９  …電子下敷ＩＤ記憶部
３０  …電子下敷情報記憶装置
３１（３１Ｒ，３１Ｌ）…電子下敷通信装置
３２，５２…接触型表示Ｉ／Ｆ
３３  …外部接続装置
３４（３４Ｒ，３４Ｌ）…電源供給用コア
３５（３５Ｒ，３５Ｌ）…電磁誘導電源供給部
３６（３６Ｒ，３６Ｌ）…通信用コア
３７（３７Ｒ，３７Ｌ）…電子下敷通信装置
３８  …バッテリー（電源）
３９  …下敷側コア
３９ａ…バインダー兼用凸型コア
３９ｂ…バインダー兼用凸型リング状コア
４０  …ペーパー内コア
４１  …平面コイル
４２  …バインダー部ヒンジ（片面タイプ）
４３  …下敷側コイル
４４  …バインダー部ヒンジ（見開きタイプ）
４５  …第１実施形態の表示装置
４５′…第２実施形態の表示装置
４６  …ＬＣＤ表示装置
４８  …表示装置の制御装置
４９  …表示装置のＩＤ記憶部
５０  …表示装置の情報記憶装置
５１  …表示装置の入力装置
５３  …サーバ装置
５４  …電子ペーパー管理テーブル
５５  …電子ペーパー固有情報
５６  …サーバ制御装置
５７  …サーバ入力装置
５８  …サーバ記憶装置
５８ａ…クライアントＩＤ管理部
５８ｂ…電子ペーパーＩＤ管理部
５８ｃ…電子下敷ＩＤ管理部
５８ｄ…情報管理部
５８ｅ…仮想ペーパークライアント
５９  …サーバ表示装置
６０  …サーバ通信装置
６１  …仮想コンソール
６２  …ユーザ認証テーブル
６３  …電子ペーパー認証テーブル
６４  …電子ペン機能テーブル
６５  …超音波デジタイザ
６６  …携帯通信情報機器
６７  …ソフトキーボード
６８  …フルキーボード
【図１】
2007323365.tif 000003
【図２】
2007323365.tif 000004
【図３】
2007323365.tif 000005
【図４】
2007323365.tif 000006
【図５】
2007323365.tif 000007
【図６】
2007323365.tif 000008
【図７】
2007323365.tif 000009
【図８】
2007323365.tif 000010
【図９】
2007323365.tif 000011
【図１０】
2007323365.tif 000012
【図１１】
2007323365.tif 000013
【図１２】
2007323365.tif 000014
【図１３】
2007323365.tif 000015
【図１４】
2007323365.tif 000016
【図１５】
2007323365.tif 000017
【図１６】
2007323365.tif 000018
【図１７】
2007323365.tif 000019
【図１８】
2007323365.tif 000020
【図１９】
2007323365.tif 000021
【図２０】
2007323365.tif 000022
【図２１】
2007323365.tif 000023
【図２２】
2007323365.tif 000024
【図２３】
2007323365.tif 000025
【図２４】
2007323365.tif 000026
【図２５】
2007323365.tif 000027
【図２６】
2007323365.tif 000028
【図２７】
2007323365.tif 000029
【図２８】
2007323365.tif 000030
【図２９】
2007323365.tif 000031
【図３０】
2007323365.tif 000032
【図３１】
2007323365.tif 000033
【図３２】
2007323365.tif 000034
【図３３】
2007323365.tif 000035